(57)【特許請求の範囲】
【請求項１】
それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
１本の前記維持放電電極を共有する一方の前記走査線の選択時における、前記１本の前記維持放電電極と共に前記一方の前記走査線を規定する前記維持放電電極の前記１本の前記維持放電電極に対する電位差と、
前記１本の前記維持放電電極を共有する他方の前記走査線の選択時における、前記１本の前記維持放電電極と共に前記他方の前記走査線を規定する前記維持放電電極の前記１本の前記維持放電電極に対する電位差とが互いに逆極性となる様に実行し、
前記維持期間では、隣接する２本の前記走査線に属する前記放電セルの全てを対象として前記放電維持動作を実行することを特徴とする、
交流型プラズマディスプレイパネルの駆動方法。
【請求項２】
請求項１に記載の交流型プラズマディスプレイパネルの駆動方法であって、
前記アドレス期間において、
前記走査線の非選択時に、前記走査線を規定する２本の前記維持放電電極の内の少なくとも一方の前記維持放電電極に、前記電荷の記憶状態を変える放電を抑制する放電抑制電圧を印加することを特徴とする、
交流型プラズマディスプレイパネルの駆動方法。
【請求項３】
請求項２に記載の交流型プラズマディスプレイパネルの駆動方法であって、
前記走査線を規定する他方の前記維持放電電極に、当該走査線が属する前記グループでの前記走査の開始時から少なくとも当該走査線の前記選択の終了までの期間、前記走査線選択電圧を印加することを特徴とする、
交流型プラズマディスプレイパネルの駆動方法。
【請求項４】
請求項３に記載の交流型プラズマディスプレイパネルの駆動方法であって、
同一の前記グループに属する前記走査線同士が隣接しないように前記複数の前記走査線を前記複数のグループに分割し、
前記走査の対象ではない前記グループに属する前記走査線を規定する前記維持放電電極であって前記他方の前記維持放電電極に隣接する前記維持放電電極に、前記走査の対象である前記グループでの前記走査の期間中、前記放電抑制電圧を印加することを特徴とする、
交流型プラズマディスプレイパネルの駆動方法。
【請求項５】
請求項４に記載の交流型プラズマディスプレイパネルの駆動方法であって、
前記走査の前記期間中、前記他方の前記維持放電電極に前記走査線選択電圧を継続的に印加することを特徴とする、
交流型プラズマディスプレイパネルの駆動方法。
【請求項６】
それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記走査線の選択時に相対的に負極性の走査線選択電圧が印加される前記維持放電電極を共有する互いに隣接する２本の前記走査線の内、先に選択される一方の走査線に属する、前記電荷が記憶された前記放電セルにおいて、前記電荷の極性を反転させ、
その後に、前記隣接する２本の前記走査線の内、後に選択される他方の走査線を選択する様に実行するものとし、
前記維持期間では、隣接する２本の前記走査線に属する前記放電セルの全てを対象として前記放電維持動作を実行することを特徴とする、
交流型プラズマディスプレイパネルの駆動方法。
【請求項７】
それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記走査線の選択時に相対的に負極性の走査線選択電圧が印加される前記維持放電電極を共有する互いに隣接する２本の前記走査線の内、先に選択される一方の走査線に属する、前記電荷が記憶された前記放電セルにおいて、前記面放電を生じさせ、
その後に、前記隣接する２本の前記走査線の内、後に選択される他方の走査線を選択する様に実行するものとし、
前記維持期間では、隣接する２本の前記走査線に属する前記放電セルの全てを対象として前記放電維持動作を実行することを特徴とする、
交流型プラズマディスプレイパネルの駆動方法。
【請求項８】
それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
前記複数の前記走査線はその配列方向において２つのブロック領域に分割され、
前記アドレス電極はそれぞれ各前記ブロック領域に属する、互いに電気的に分断された２つの電極から成っており、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記２つのブロック領域毎に、各前記ブロック領域に属する複数の前記走査線を前記複数のグループに分割した上で、前記２つのブロック領域で並行して実行し、
前記維持期間では、隣接する２本の前記走査線に属する前記放電セルの全てを対象として前記放電維持動作を実行することを特徴とする、
交流型プラズマディスプレイパネルの駆動方法。
【請求項９】
請求項８に記載の交流型プラズマディスプレイパネルの駆動方法であって、
前記２つのブロック領域の境界を介して隣接する２つの前記走査線の前記選択を同期して行うことを特徴とする、
交流型プラズマディスプレイパネルの駆動方法。
【請求項１０】
請求項８に記載の交流型プラズマディスプレイパネルの駆動方法であって、
前記２つのブロック領域で並行して行われる前記走査線の選択の走査方向を、前記２つのブロック領域間で互いに反対とすることを特徴とする、
交流型プラズマディスプレイパネルの駆動方法。
【請求項１１】
それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層と、前記誘電体層を被覆するカソード膜と、前記隣接する走査線の間の部分の前記カソード膜を被覆する放電不活性膜とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブと、
を備えている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するものとし、
前記維持期間では、隣接する２本の前記走査線に属する前記放電セルの全てを対象として前記放電維持動作を実行することを特徴とする、
交流型プラズマディスプレイパネルの駆動方法。
【発明の詳細な説明】
【０００１】
【発明の属する技術分野】
本発明は、隣接する２本の走査線で１本の維持放電電極を共有すると共に隣接する走査線間で互いの放電セルでの面放電を分離するための放電分離体を備えた交流型プラズマディスプレイパネル（以下、「ＡＣ型ＰＤＰ」とも呼ぶ）の駆動方法に関する。
【０００２】
【従来の技術】
隣接する２本の走査線が１本の維持放電電極を共有する構造のＡＣ型ＰＤＰが知られている。そのような構造のＡＣ型ＰＤＰは、例えば特開平２−２２０３３０号公報、特開平６−２８９８０９号公報等に開示されている。かかるＡＣ型ＰＤＰによれば、走査線の総数が２Ｎ本とすると、維持放電電極の総数は（２Ｎ＋１）本で済む。
【０００３】
一般的に、各維持放電電極は、透明電極及びバス電極を含む。透明電極は帯状の電極であり、バス電極は透明電極の幅方向における中心軸に沿って透明電極上に配置されている。
【０００４】
また、ＡＣ型ＰＤＰの前面基板と背面基板とは、維持放電電極と直交する方向に延在する、ストライプ状の複数のバリアリブ（単に「リブ」とも呼ばれる）ないしは隔壁を介して対面配置される。このとき、バリアリブによって、維持放電電極の長手方向において、換言すれば、走査線と直交する方向において各放電セルが区画される。
【０００５】
【発明が解決しようとする課題】
上述のように、従来技術に係るＡＣ型ＰＤＰでは、隣接する２本の走査線が１本の維持放電電極を共有している。このため、走査線を規定する２本の維持放電電極間での面放電と隣接する走査線での同面放電とをを互いに分離する構造物が無い場合、一方の走査線に属する放電セルで生じた面放電が他方の走査線に影響する。例えば、発光すべきでない放電セルで発光が生じてしまう。
【０００６】
本発明は、隣接する２本の走査線で１本の維持放電電極を共有すると共に隣接する走査線間で互いの放電セルでの面放電を分離するための放電分離体を備えたＡＣ型ＰＤＰを提供した上で、当該ＡＣ型ＰＤＰの駆動方法を提供することを主たる目的とする。
【０００７】
特に、本発明は、上述の構造を有するＡＣ型ＰＤＰの駆動方法であって、表示コントラストを向上し、無効電力を低減し、書き込み放電を安定化しうる駆動方法を提供することを第１の目的とする。
【０００８】
更に、本発明は、上記第１の目的の実現と共に、高品質の画像表示が得られる、上述のＡＣ型ＰＤＰの駆動方法を提供することを第２の目的とする。
【０００９】
加えて、本発明は、上記第１の目的の実現と共に、維持放電電極へ電圧を供給する回路の負荷を低減しうる、上述のＡＣ型ＰＤＰの駆動方法を提供することを第３の目的とする。
【００１０】
また、本発明は、上記第３の目的の実現と共に、書き込み放電形成の応答を高速化しうる、上述のＡＣ型ＰＤＰの駆動方法を提供することを第４の目的とする。
【００１１】
加えて、本発明は、上記第１の目的の実現と共に、隣接する維持放電電極の間のマイグレーションの発生を抑制可能な、上述のＡＣ型ＰＤＰの駆動方法を提供することを第５の目的とする。
【００１２】
【課題を解決するための手段】
本発明の主題は、それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、それぞれが前記維持放電電極と立体交差する方向に配置され、互いに平行に延在する複数のアドレス電極を含み、前記誘電体層の前記主面の側に対面配置された第２基板と、前記第１基板と前記第２基板との間に配置された複数のバリアリブとを備え、各前記走査線に属する各前記放電セルでの各前記面放電が前記隣接する前記走査線間で実質的に分離されている交流型プラズマディスプレイパネルに適用される駆動方法において、１画面を複数のサブフィールドに分割した上で、前記複数のサブフィールドのそれぞれが、隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、前記維持放電電極に維持電圧を印加する放電維持動作を実行して、前記電荷が記憶された前記放電セルに前記面放電を形成する、維持期間とを含む駆動方法であって、前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、前記グループ単位で時間的に分離して前記アドレス動作を実行するにおいて、１本の前記維持放電電極を共有する一方の前記走査線の選択時における、前記１本の前記維持放電電極と共に前記一方の前記走査線を規定する前記維持放電電極の前記１本の前記維持放電電極に対する電位差と、前記１本の前記維持放電電極を共有する他方の前記走査線の選択時における、前記１本の前記維持放電電極と共に前記他方の前記走査線を規定する前記維持放電電極の前記１本の前記維持放電電極に対する電位差とが互いに逆極性となる様に実行し、前記維持期間では、隣接する２本の前記走査線に属する前記放電セルの全てを対象として前記放電維持動作を実行することを特徴とする。
【００２３】
【発明の実施の形態】
＜背景技術＞
図２０に、背景技術に係るＡＣ型ＰＤＰ（以下、「ＡＣ型ＰＤＰ２００」と呼ぶ）の模式的な斜視図を示す。なお、ＡＣ型ＰＤＰ２００の構造は、本願の出願人により、特願平１０−２０５２８３号に提案される。
【００２４】
図２０に示すように、ＡＣ型ＰＤＰ２００は、互いに垂直を成す第１方向Ｄ１及び第２方向Ｄ２で張られる平面に平行な主面を有する透明な前面基板ないしは第１基板１と、前面基板１の上記主面に対面する主面を有する背面基板ないしは第２基板２とを備える。前面基板１と背面基板２とは、互いに平行に延びるストライプ状の複数のバリアリブ３を介して対面配置されている。
【００２５】
前面基板１はガラス基板１３を備え、ガラス基板１３の背面基板２側の表面上に（Ｎ＋１）本の維持放電電極ＸとＮ本の維持放電電極Ｙとが配置されている。各維持放電電極Ｘ及び各維持放電電極Ｙは第２方向Ｄ２に沿って延在しており、互いに平行を成している。また、各維持放電電極Ｘ及び各維持放電電極Ｙは交互に配置されている。なお、複数の維持放電電極Ｘのそれぞれを区別するときには、第２方向Ｄ２を横方向としてＡＣ型ＰＤＰ２００を見た場合に上段から順に維持放電電極Ｘ1，維持放電電極Ｘ2，・・・，維持放電電極ＸN+1と呼び、任意の１本を維持放電電極Ｘn（１≦ｎ≦Ｎ＋１）と呼ぶ。複数の維持放電電極Ｙについても同様とする。但し、維持放電電極Ｙnに関しては、１≦ｎ≦Ｎである。
【００２６】
ＡＣ型ＰＤＰ２００では、互いに隣接する維持放電電極Ｘ，Ｙで以て走査線Ｓが規定される。詳細には、互いに隣接する維持放電電極Ｘn，Ｙn間の間隙ないしはスペース部で以て奇数番目の走査線Ｓ2n-1が規定される。また、互いに隣接する維持放電電極Ｙn，Ｘn+1間の間隙で以て偶数番目の走査線Ｓ2nが規定される。これにより、ＡＣ型ＰＤＰ２００の２Ｎ本の走査線が構成される。換言すると、互いに隣接する走査線Ｓ2n-1と走査線Ｓ2nとは維持放電電極Ｙnを共有しており、互いに隣接する走査線Ｓ2nと走査線Ｓ2n+1とは維持放電電極Ｘnを共有している。隣接する維持放電電極Ｘ，Ｙ間に所定の電圧ないしは電位差を付与することにより面放電１００が形成される。
【００２７】
維持放電電極Ｘ，Ｙは、透明電極１４及びバス電極１５を含む。透明電極１４は第２方向Ｄ２に延びる帯状の電極であり、バス電極１５は透明電極１４の背面基板２側の表面上に透明電極１４の幅方向（第１方向Ｄ１）における中心軸に沿って配置されている。換言すれば、バス電極１５は、隣接する２本の走査線Ｓの境界を規定する。透明電極１４は面放電１００を拡げる役割を果たし、バス電極１５は、維持放電電極Ｘ，Ｙの抵抗成分を低減する役割を果たす。
【００２８】
更に、維持放電電極Ｘ，Ｙ及びガラス基板１３の上記表面を覆って誘電体層１６が配置されており、当該誘電体層１６の背面基板２側の表面上に（従って、維持放電電極Ｘ，Ｙを覆う形態で）酸化マグネシウム（ＭｇＯ）から成るカソード膜１１が配置されている。なお、誘電体層１６及びカソード膜１６を総称して「誘電体層」と呼んでも良い。
【００２９】
特に、ＡＣ型ＰＤＰ２００では、カソード膜１１の背面基板２側の表面上に放電不活性膜ないしは放電分離体１２が配置されている。詳細には、放電不活性膜１２は、カソード膜１１の上記表面の内でバス電極１５を投影した領域の近傍に配置されており、各放電不活性膜１２は互いに平行を成して第２方向Ｄ２に沿って延在している。放電不活性膜１２は、放電材料としてＭｇＯよりも不活性な材料、即ち、ＭｇＯよりも２次電子放出係数が低い材料から成る。放電不活性膜１２として、例えば、酸化アルミニウム（Ａｌ2Ｏ3）や酸化チタン（ＴｉＯ2）等が適用可能である。
【００３０】
他方、背面基板２はガラス基板２１を備え、ガラス基板２１の前面基板１側の表面上に複数本のアドレス電極２２が互いに平行を成して第１方向Ｄ１に沿って延在している。アドレス電極２２及びガラス基板２１の上記表面を覆って誘電体層ないしはオーバーグレーズ層２３が配置されている。
【００３１】
オーバーグレーズ層２３の前面基板１側の表面上であって、隣接するアドレス電極２２間の各間隙を当該表面に投影した各領域近傍に、バリアリブ３が第１方向Ｄ１に沿って延在している。そして、バリアリブ３とオーバーグレーズ層２３とによって構成される凹状部ないしはＵ字型溝の表面上に蛍光体層２４が形成されている。なお、図２０では、赤色発光用，緑色発光用及び青色発光用の各蛍光体層２４を各符号２４Ｒ，２４Ｇ，２４Ｂで図示している。
【００３２】
前面基板１及び背面基板２がバリアリブ3を介して貼り合わされて、ＡＣ型ＰＤＰ２００が構成される。このとき、前面基板１の上記主面と蛍光体層２４とで囲まれた、第１方向Ｄ１に延びる各空間が放電空間を形成する。この放電空間は、例えばネオン（Ｎｅ）とキセノン（Ｘｅ）とを含む放電ガスで充填されている。
【００３３】
ＡＣ型ＰＤＰ２００では、走査線Ｓとアドレス電極２２との各立体交差点で以て１個の放電セルが規定され、かかる放電セルがマトリクス状に配列されている。
【００３４】
さて、上述の放電不活性膜１２は、隣接する２本の走査線Ｓ間の各面放電１００を分離・区画する機能を担う。かかる機能を説明する。上述のように、ＡＣ型ＰＤＰ２００では１本の維持放電電極Ｘ又は維持放電電極Ｙを隣接する２本の走査線Ｓで共有している。このため、仮に放電不活性膜１２が存在しない場合、各走査線Ｓ又は第１方向Ｄ１に沿って並ぶ各放電セルに属するカソード膜１１の各露出部分が連続してしまい、その結果、各走査線Ｓにおける維持放電電極Ｘ，Ｙ間の面放電１００がオーバーラップしてしまう。各走査線Ｓでの各面放電１００が分離されないと、（ｉ）隣接する走査線Ｓ間で互いの面放電１００（維持放電）が干渉し合って表示が不安定となる。更に、各走査線Ｓでの各面放電１００が分離されないと、（ｉｉ）走査線Ｓの１本当りの放電が維持放電電極Ｘ，Ｙのそれぞれの全幅で形成されてしまうので、走査線Ｓの１本当りの面放電の大きさないしは面放電の形成エリアが、隣接する２本のバス電極１５間の間隙よりも大きくなり、表示の精細さが低いものとなる。
【００３５】
また、維持放電電極Ｘ，Ｙの各全幅で放電が形成されると、バス電極１５の１本当たりに流れる最大電流が大きくなる。その結果、（ｉｉｉ）バス電極１５の長手方向（第２方向Ｄ２）における電圧降下が大きくなるので、各放電セルに供給される、維持放電電極Ｘ，Ｙ間の実効電圧が低くなってしまう。このとき、バス電極１５の長手方向の中央近傍ほど電圧降下が大きいので、上記実効電圧のバス電極１５の長手方向に沿った分布が顕著になり、上記長手方向の中央に近い放電セルほど維持放電を成す面放電１００の大きさ、従って、放電セルの発光輝度が低くなってしまう。また、（ｉｖ）バス電極１５の１本当たりに流れる最大電流が大きくなると、バス電極１５又は維持放電電極Ｘ，Ｙに電圧を供給するための回路を構成する素子の負荷が大きくなる。
【００３６】
これに対して、ＡＣ型ＰＤＰ２００では放電不活性膜１２によって隣接する２本の走査線Ｓでの各面放電１００を分離・区画することができるので、上記問題点（ｉ）〜（ｉｉ）が改善される。更に、放電不活性膜１２が存在する領域では放電が形成されない分だけ、１本のバス電極１５に流れる最大電流を小さくすることができるので、上記問題点（ｉｉｉ）〜（ｉｖ）が改善される。
【００３７】
なお、放電不活性膜１２の他に、例えば以下の（ａ），（ｂ）の各構成によっても隣接する走査線Ｓ間で面放電を分離・区画することができる。即ち、
（ａ）図２０のバリアリブ３に第２方向Ｄ２に延びる部分を設けてバリアリブを格子状にすることによって、隣接する走査線Ｓ間の放電空間を区画する。なお、上述の第２方向Ｄ２に延びる部分を例えば蛍光体層２４や他の誘電体材料ないしは絶縁材料で形成しても良い。かかる場合、これらの各材料から成る上述の第２方向Ｄ２に延びる部分が放電分離体に相当する。また、
（ｂ）誘電体層１６の厚さを、隣接する走査線Ｓ間近傍においてより厚く形成して放電空間を狭くする。これにより、当該狭い放電空間で放電が形成され難くなるので、隣接する走査線Ｓ間で面放電を分離することが可能である。かかる場合、誘電体層１６の、上述の隣接する走査線Ｓ間近傍でより厚く形成された部分が放電分離体に相当する。
【００３８】
次に、ＡＣ型ＰＤＰ２００の駆動方法ないしは駆動シーケンスを説明する。一般的に、ＡＣ型ＰＤＰにおいて階調表示を行なう場合、１画面を複数のサブフィールドに分割し、各サブフィールドにおける表示発光に所定の重み付けを設定する。そして、個々の放電セルの画像データないしは画像信号に応じて上記各サブフィールドを選択し組み合わせる。ＡＣ型ＰＤＰ２００に対しても同様の駆動方法が適用可能である。
【００３９】
各サブフィールドは、リセット期間と、書き込み期間と、維持期間ないしは表示期間とを含む。
【００４０】
リセット期間では、放電セルに消去放電を発生させることにより、直前のサブフィールドの終了時点で放電セルに残存する電荷ないしは壁電荷を消去する。これにより、上記壁電荷として記憶されている、直前のサブフィールドの画像データがリセットされる（消去動作）。
【００４１】
書き込み期間では、リセット期間の後に放電セルに当該サブフィールドの画像データを記憶させる（書き込み動作）。詳細には、書き込み期間では、走査線Ｓを順次に選択していくことで走査線Ｓの走査を行い、これに同期してアドレス電極２２に、選択された走査線Ｓに対応する画像データのＯＮ状態及びＯＦＦ状態の各状態に対応した各電圧Ｖｏｎ，Ｖｏｆｆを印加する。一般的に、電圧Ｖｏｎ＞電圧Ｖｏｆｆに設定される。このとき、選択された走査線Ｓに属する放電セルの内でアドレス電極２２にＯＮ状態の画像データないしは電圧Ｖｏｎが印加された放電セルに書き込み放電を発生させることにより、当該放電セル内にＯＮ状態の画像データを壁電荷として書き込むないしは記憶させる。
【００４２】
そして、維持期間では、各維持放電電極Ｘ，Ｙに維持電圧を印加する放電維持動作を行って、書き込み期間で壁電荷が形成された放電セルにおいて維持放電を行なわせる。
【００４３】
ＡＣ型ＰＤＰ２００では、書き込み期間における上述の走査線Ｓの順次選択ないしは走査は以下のように行う。即ち、各走査線Ｓを規定する各維持放電電極Ｘ，Ｙへ印加する各電圧又は各電圧の極性を制御して、選択する走査線Ｓの維持放電電極Ｘ，ＹのみにＨｉｇｈレベル，Ｌｏｗレベルという組合わせの電圧（走査線選択電圧）を印加する。なお、以下の説明において、Ｈｉｇｈレベル及びＬｏｗレベルの各電圧をそれぞれ電圧（値）Ｈ，電圧（値）Ｌ（＜電圧Ｈ）とも呼ぶ。
【００４４】
ＡＣ型ＰＤＰ２００に適用される、より具体的な駆動方法の一例を図２１のタイミングチャートを参照しつつ説明する。図２１は、１サブフィールド内で維持放電電極Ｘ，Ｙ及びアドレス電極２２の各電極に印加する電圧のシーケンスを示す。なお、かかるタイミングチャートは、上記特願平１０−２０５２８３号に提案される。図２１に示すように、１個のサブフィールドはまず前半と後半とに大別され、各々にリセット期間Ｒ，書き込み期間ＡＤＰ，維持期間ＳＴが設けられている。なお、図２１において、書き込み期間ＡＤＰでのアドレス電極２２への印加電圧の波形は、複数のアドレス電極２２のそれぞれに、選択された走査線Ｓi（１≦ｉ≦２Ｎ）に属する各放電セルの各画像データＷiに応じて電圧Ｖｏｎ又は電圧Ｖｏｆｆが印加されることを示している。
【００４５】
まず、サブフィールドの前半における駆動方法を説明する。リセット期間Ｒにおいて、直前のサブフィールドの画像データとして記憶されている壁電荷を消去する。
【００４６】
書き込み期間ＡＤＰでは、まず走査の開始前に全ての維持放電電極Ｘ，Ｙに電圧Ｈを印加した後に、奇数番目の各走査線Ｓを、走査線Ｓ2N-1→走査線Ｓ2N-3→・・・→走査線Ｓ3→走査線Ｓ1の順番（降順）で選択する。
【００４７】
走査のシーケンスを順次に説明すると、アドレス電極２２へ画像データＷ2N-1に対応する電圧Ｖｏｎ又は電圧Ｖｏｆｆを印加するタイミングに同期して、維持放電電極ＹN，ＸN+1を電圧Ｈから電圧Ｌにスイッチないしは遷移する。これにより、走査線Ｓ2N-1を成す各維持放電電極ＸN，ＹNが各電圧Ｈ，Ｌとなる一方で、走査線Ｓ2Nを成す各維持放電電極ＹN，ＸN+1は共に電圧Ｌとなり、又、各走査線Ｓ1〜Ｓ2N-2を成す各維持放電電極Ｘ，Ｙは共に電圧Ｈとなる。その結果、走査線Ｓ2N-1に属する放電セルの内でアドレス電極２２に電圧Ｖｏｎが印加された放電セルに選択的に書き込み放電を形成することができる。
【００４８】
続いて、アドレス電極２２に画像データＷ2N-3を出力するのと同期して、維持放電電極ＹN-1、ＸNを電圧Ｌにスイッチする。これにより、走査線Ｓ2N-3を成す各維持放電電極ＸN-1，ＹN-1が各電圧Ｈ，Ｌとなる一方で、各走査線Ｓ2N-2〜Ｓ2Nを成す各維持放電電極Ｘ，Ｙは共に電圧Ｌとなり、又、各走査線Ｓ1〜Ｓ2N-4を成す各維持放電電極Ｘ，Ｙは共に電圧Ｈとなる。その結果、走査線Ｓ2N-3の内でアドレス電極２２に電圧Ｖｏｎが印加された放電セルに、選択的に書き込み放電を形成することができる。
【００４９】
このように、サブフィールドの前半の書き込み期間ＡＤＰでは、降順で維持放電電極Ｙn，Ｘn+1（１≦ｎ≦Ｎ）を電圧Ｌにスイッチすることにより、奇数番目の走査線Ｓ2n-1を降順に選択する。走査線Ｓ1まで書き込み動作を行った後に、維持放電電極Ｘ1を電圧Ｌにスイッチする。
【００５０】
そして、サブフィールドの前半の書き込み期間ＡＤＰが完了した後、引き続いて、奇数番目の走査線Ｓ2n-1のみに対する維持期間ＳＴを実行して維持放電を行なう。具体的には、各維持放電電極Ｘ，Ｙに交互に維持パルス（維持電圧）を印加するないしは維持放電電極Ｘ，Ｙ間に交流パルスを印加する。
【００５１】
サブフィールドの前半における駆動シーケンスの終了後、当該サブフィールドの後半の駆動シーケンスを実行する。
【００５２】
まず、リセット期間Ｒでサブフィールドの前半の画像データを消去する。その後、書き込み期間ＡＤＰでは、まず走査の開始前に全ての維持放電電極Ｘ，Ｙに電圧Ｈを印加した後に、偶数番目の各走査線Ｓを、走査線Ｓ2→走査線Ｓ4→・・・→走査線Ｓ2N-2→走査線Ｓ2Nの順番（昇順）で選択する。
【００５３】
順次に説明すると、アドレス電極２２へ画像データＷ2に対応する電圧Ｖｏｎ又は電圧Ｖｏｆｆを印加するタイミングに同期して、維持放電電極Ｙ1，Ｘ1を電圧Ｈから電圧Ｌにスイッチする。これにより、走査線Ｓ2を成す各維持放電電極Ｙ1，Ｘ2が各電圧Ｌ，Ｈとなる一方で、走査線Ｓ１を成す各維持放電電極Ｙ1，Ｘ1は共に電圧Ｌとなり、又、各走査線Ｓ3〜Ｓ2Nを成す各維持放電電極Ｘ，Ｙは共に電圧Ｈとなる。その結果、走査線Ｓ2の内でアドレス電極２２に電圧Ｖｏｎが印加された放電セルに、選択的に書き込み放電を形成することができる。
【００５４】
続いて、アドレス電極２２に画像データＷ4を出力するのと同期して、各維持放電電極Ｙ2、Ｘ2を電圧Ｌにスイッチする。これにより、走査線Ｓ4を成す各維持放電電極Ｘ2，Ｙ3が各電圧Ｌ，Ｈとなる一方で、各走査線Ｓ1〜Ｓ3を成す各維持放電電極Ｘ，Ｙは共に電圧Ｌとなり、又、各走査線Ｓ5〜Ｓ2Nを成す各維持放電電極Ｘ，Ｙは共に電圧Ｈとなる。その結果、走査線Ｓ2N-3の内でアドレス電極２２に電圧Ｖｏｎが印加された放電セルに、選択的に書き込み放電を形成することができる。
【００５５】
このように、サブフィールドの後半の書き込み期間ＡＤＰでは、昇順で維持放電電極Ｙn，Ｘn（１≦ｎ≦Ｎ）を電圧Ｌにスイッチすることにより、偶数番目の走査線Ｓ2nを昇順に選択する。走査線Ｓ2Nまで書き込み動作を行なった後に、維持放電電極ＸN+1を電圧Ｌにスイッチする。
【００５６】
そして、サブフィールドの後半の書き込み期間ＡＤＰが完了した後、引き続いて、偶数番目の走査線Ｓ2nのみに対する維持期間ＳＴを実行して維持放電を行なう。
【００５７】
さて、図２１の駆動シーケンスでは、サブフィールド１個当りにリセット期間Ｒが２回設けられている。リセット期間Ｒでは全ての放電セルにおいてプライミング放電と消去放電を形成する。かかる放電も放電セルの発光を生じさせるので、リセット期間Ｒないしは上述の消去動作の回数が多いと、その分だけサブフィールドの暗輝度が上昇してしまい表示コントラストが低下する場合がある。
【００５８】
更に、図２１の駆動シーケンスによれば、サブフィールドの前半及び後半の各維持期間ＳＴではそれぞれ奇数番目の各走査線Ｓ，偶数番目の各走査線Ｓでしか維持放電が形成されない。このとき、サブフィールドの前半の維持期間ＳＴでは、維持放電を形成しない偶数番目の各走査線Ｓを成す各維持放電電極Ｘ，Ｙ間にも交流パルスが印加されており、逆に、サブフィールドの後半の維持期間ＳＴでは、維持放電を形成しない奇数番目の各走査線Ｓを成す各維持放電電極Ｘ，Ｙ間にも交流パルスが印加されている。このとき、各維持期間ＳＴにおいて、維持放電を形成しない放電セルでも無効電力が消費されており、ＡＣ型ＰＤＰ２００全体の消費電力が大きなものとなる場合がある。
【００５９】
更に、図２１の駆動シーケンスでは、サブフィールド１個当りにリセット期間Ｒ及び維持期間ＳＴが各２回設けられている。このため、各２回のリセット期間Ｒ及び維持期間ＳＴに割り当てる時間が長いと、書き込み期間ＡＤＰへの割り当て時間が減ることになる。このとき、書き込み期間ＡＤＰでの上述の書き込み動作を高速で行えば良いが、かかる場合には書き込み放電が不安定になりやすく、書き込み動作を確実に行うことができない場合がある。
【００６０】
＜実施の形態１＞
かかる点に鑑み、実施の形態１では、ＡＣ型ＰＤＰ２００の駆動方法であって、表示コントラストの向上，無効電力の低減及び書き込み放電の安定化を同時に達成しうる駆動方法を提供する。
【００６１】
なお、上述の背景技術では、書き込み期間ＡＤにおける走査線Ｓの選択時に電圧Ｈが印加される方の電極を維持放電電極Ｘと呼び、電圧Ｌが印加される方の電極を維持放電電極Ｙと呼ぶのに対して、以下の説明では、各維持放電電極Ｘ，Ｙを区別することなく、（２Ｎ＋１）本の維持放電電極の各々を「維持放電電極Ｊ」と呼ぶ。また、（２Ｎ＋１）本の維持放電電極Ｊのそれぞれを区別するときには、例えば添え字ｉ（１≦ｉ≦２Ｎ＋１）を付して「維持放電電極Ｊi」と呼ぶ。即ち、各維持放電電極Ｘ1，Ｙ1，Ｘ2，Ｙ2，・・・，ＸN-1，ＹN-1，ＸN，ＹN，ＸN+1は各維持放電電極Ｊ1，Ｊ2，Ｊ3，Ｊ4，・・・，Ｊ2N-3，Ｊ2N-2，Ｊ2N-1，Ｊ2N，Ｊ2N+1に対応する。このとき、維持放電電極Ｊi，Ｊi+1で第ｉ番目の走査線Ｓiが規定される。
【００６２】
図１に、ＡＣ型ＰＤＰ２００の実施の形態１に係る駆動方法を説明するためのタイミングチャートを示す。図１は、アドレス電極２２及び各維持放電電極Ｊに印加する各電圧の１サブフィールド当りの電圧シーケンスを示している。図１に示すように、本駆動方法では、１サブフィールドの初期時に１回だけリセット期間Ｒを設け、同終期に１回だけ維持期間ＳＴを設けている。リセット期間Ｒ及び維持期間ＳＴでは全放電セルを対象として消去動作及び放電維持動作の各動作を行う。
【００６３】
そして、リセット期間Ｒと維持期間ＳＴとの間に１回だけ書き込み期間ＡＤ１を設けている。書き込み期間ＡＤ１は、奇数番目の走査線Ｓを走査するための（奇数番目の走査線用の）書き込み期間Ｏ１と、偶数番目の走査線Ｓを走査するための（偶数番目の走査線用の）書き込み期間Ｅ１とで構成される。
【００６４】
奇数番目の走査線用の書き込み期間Ｏ１では、既述の図２１におけるサブフィールドの前半の書き込み期間ＡＤＰと同様の駆動シーケンスを実行する。即ち、まず、走査の開始前に全ての維持放電電極Ｊに電圧Ｈを印加する。続いて、奇数番目の各走査線Ｓを、走査線Ｓ2N-1→走査線Ｓ2N-3→・・・→走査線Ｓ3→走査線Ｓ1のように降順で選択して行く。このとき、選択する走査線Ｓを規定する２本の維持放電電極Ｊのみに電圧Ｈ及び電圧Ｌの組合わせの電圧を印加する。例えば走査線Ｓ2n-1（１≦ｎ≦Ｎ）の選択は維持放電電極Ｊ2n，Ｊ2n+1を電圧Ｈから電圧Ｌへスイッチする。この際、各走査線の選択のタイミングに合わせて選択された走査線Ｓの画像データＷをアドレス電極２２に印加する。走査線Ｓ1の選択の終了後に維持放電電極Ｊ1を電圧Ｌにスイッチする。
【００６５】
そして、上記書き込み期間Ｏ１に引き続いて、偶数番目の走査線用の書き込み期間Ｅ１を実行する。書き込み期間Ｅ１では、走査の開始前にまず全ての維持放電電極Ｊを電圧Ｈにスイッチする。その後は、図２１におけるサブフィールドの後半の書き込み期間ＡＤＰと同様の駆動シーケンスを実行する。即ち、偶数番目の各走査線Ｓを、走査線Ｓ2→走査線Ｓ4→・・・→走査線Ｓ2N-2→走査線Ｓ2Nのように昇順で選択して行き、かかる走査線Ｓの選択と同期して各アドレス電極２２に画像データＷを出力する。例えば走査線Ｓ2nの選択は維持放電電極Ｊ2n，Ｊ2n-1を電圧Ｈから電圧Ｌへスイッチする。走査線Ｓ2Nの選択の終了後に維持放電電極Ｊ2N+1を電圧Ｌにスイッチする。
【００６６】
このように、本駆動方法では、書き込み期間において、全走査線Ｓを奇数番目及び偶数番目の各グループに分割した上で、当該グループ単位で書き込み動作を行う。なお、かかるグループ分けによれば、同一のグループに属する走査線同士が隣接しない。
【００６７】
実施の形態１に係る駆動方法によれば、維持期間ＳＴの前に、書き込み期間ＡＤ１において全走査線Ｓ又は全放電セルに１サブフィールド分の画像データに応じた書き込み動作を行う。このため、引き続く維持期間ＳＴでは１サブフィールド分の維持放電を全放電セルで一括して（同時に）行なわせることができる。即ち、本駆動方法によれば、書き込み期間ＡＤ１において奇数番目及び偶数番目の走査線用の書き込み期間Ｏ１，Ｅ１を連続して実行するので、維持期間ＳＴは１サブフィールド当たり１回だけで済む。従って、維持期間ＳＴにおいて維持放電を形成しない放電セルで消費される無効電力を、図２１の駆動方法よりも格段に削減することができる。
【００６８】
また、本駆動方法によれば、リセット期間Ｒも書き込み期間ＡＤ１の前に１回だけ実行するだけで良い。これにより、図２１の駆動方法と比較して暗輝度を下げて表示コントラストを向上させることができる。
【００６９】
更に、サブフィールド１個当りのリセット期間Ｒ及び維持期間ＳＴに要する時間が図２１の駆動方法よりも大幅に削減されるので、書き込み期間ＡＤ１へ割り当てる時間を増大させることができる。その結果、書き込み放電を安定的にないしは確実に形成することができる。
【００７０】
＜実施の形態２＞
さて、ＡＣ型ＰＤＰ２００の放電セルにおける書き込み放電は以下のようにして形成される。まず、選択された走査線Ｓを規定する２本の維持放電電極の内で電圧Ｌが印加されている維持放電電極Ｊと、電圧Ｖｏｎが印加されたアドレス電極２２との間に強い電界が生じ、この２電極Ｊ，２２間に対向放電が発生する。そして、当該対向放電によって放電セル内に生じた空間電荷をトリガーとして、電圧Ｌが印加されている上記維持放電電極Ｊと、当該選択された走査線Ｓを規定する、電圧Ｈが印加されている維持放電電極Ｊとの間に、面放電が発生する。かかる一連の対向放電及び面放電で以て、書き込み放電が構成される。かかる点に鑑みれば、電圧Ｌは、アドレス電極２２に電圧Ｖｏｎが印加されている場合に、アドレス電極２２と当該電圧Ｌが印加される維持放電電極Ｊとの間で対向放電（従って、書き込み放電）を形成しうる電圧値を有する。
【００７１】
ところが、ＡＣ型ＰＤＰ２００では、上記対向放電の形成時に、選択された走査線Ｓに隣接する走査線Ｓにおいて不要な対向放電が発生する場合がある。詳細には、上記対向放電はアドレス電極２２と電圧Ｌが印加された維持放電電極Ｊとの間で発生するので、当該電圧Ｌが印加された維持放電電極Ｊを選択された走査線Ｓと共有する隣接の走査線Ｓにおいても対向放電が発生し、これが上記不要な対向放電を成す。
【００７２】
かかる不要な放電が発生すると、上記隣接の走査線Ｓに属する放電セル内のカソード膜１１の露出部分上であって電圧Ｌが印加されている上記維持放電電極Ｊの上方に正電荷が蓄積される場合がある。また、かかる不要な正電荷の蓄積に対応して、当該カソード膜１１と放電空間を挟んで対向する蛍光体層２４には負電荷が不必要に蓄積される場合がある。
【００７３】
このような不要な対向放電及び不要な電荷の蓄積は、既述の図２１の駆動方法であっても、図１の駆動方法であっても生じうる。例えば図１の駆動方法では、先行の書き込み期間Ｏ１において、当該書き込み期間Ｏ１で選択されない偶数番目の走査線Ｓ2nに属する放電セル内に上記不要な対向放電が生じて、不要な電荷が蓄電されうる。
【００７４】
このとき、かかる不要な正電荷及び負電荷が形成する電界は、後続の書き込み期間Ｅ１における（正規の）書き込み放電を阻害する場合がある。例えば、書き込み期間Ｏ１において、走査線Ｓ1の選択時に電圧Ｌが印加される維持放電電極Ｊ2の、隣接の走査線Ｓ2側の上方に不要な正電荷が蓄積され、これに対向する蛍光体層２４に、即ち、アドレス電極２２の上方に不要な負電荷が蓄積される。かかる場合、続く書き込み期間Ｅ１において、走査線Ｓ2の選択時に上記維持放電電極Ｊ2に電圧Ｌが印加され、アドレス電極２２に電圧Ｖｏｎが印加されても、当該維持放電電極Ｊ2とアドレス電極２２との間の電界は、上述の不要な正電荷及び負電荷が形成する電界によって弱められてしまう。このため、走査線Ｓ2の選択時に書き込み放電を成す正規の対向放電が形成されず、書き込み動作を行うことができない場合が生じる。その結果、維持期間ＳＴにおいて不点灯等の画像表示の不具合が惹起される。
【００７５】
そこで、実施の形態２では、上述の不要な対向放電により不要な電荷が蓄積された場合であっても、確実に書き込み動作を実行しうる駆動方法を説明する。
【００７６】
図２に、実施の形態２に係る駆動方法を説明するためのタイミングチャートを示す。図２は、アドレス電極２２及び各維持放電電極Ｊに印加する各電圧の１サブフィールド当りの電圧シーケンスを示している。既述の図１の駆動方法と同様に、本駆動方法では、１サブフィールドの初期時に１回だけリセット期間Ｒを設け、同終期に１回だけ維持期間ＳＴを設けている。そして、リセット期間Ｒと維持期間ＳＴとの間に１回だけ書き込み期間ＡＤ２を設けている。
【００７７】
書き込み期間ＡＤ２は、奇数番目の走査線Ｓを走査するための（奇数番目の走査線用の）書き込み期間Ｏ２と、偶数番目の走査線Ｓを走査するための（偶数番目の走査線用の）書き込み期間Ｅ２とで構成される。
【００７８】
奇数番目の走査線用の書き込み期間Ｏ２では、既述の図１の書き込み期間Ｏ１と同様の駆動シーケンスを実行して、奇数番目の各走査線Ｓを、走査線Ｓ2N-1→走査線Ｓ2N-3→・・・→走査線Ｓ3→走査線Ｓ1のように降順で選択する。
【００７９】
特に、本駆動方法では、書き込み期間Ｏ２の終期に維持放電電極Ｊ1を電圧Ｌへスイッチした後に、書き込み期間Ｅ２の走査開始前に予めに各維持放電電極Ｊへの印加電圧を遷移させることなく、偶数番目の走査線の走査を実行する。即ち、既述の図１の駆動方法とは異なり、全ての維持放電電極Ｊを電圧Ｈにスイッチすることなく電圧Ｌのままで、偶数番目の走査線Ｓの走査を開始する。
【００８０】
詳細には、書き込み期間Ｅ２の開始直前、即ち、書き込み期間Ｏ２の終了時点では、全ての維持放電電極Ｊに電圧Ｌが印加されている。書き込み期間Ｅ２では、かかる電圧の印加状態から、アドレス電極２２に画像データＷ2を出力するタイミングと同期して、維持放電電極Ｊ1とＪ2への印加電圧を電圧Ｌから電圧Ｈにスイッチする。これにより、選択すべき走査線Ｓ2を成す各維持放電電極Ｊ2，Ｊ3が各電圧Ｈ，Ｌとなる一方で、走査線Ｓ1を成す各維持放電電極Ｊ1，Ｊ2は共に電圧Ｈとなり、又、各走査線Ｓ3〜Ｓ2Nを成す２本の維持放電電極Ｊは共に電圧Ｌとなる。その結果、走査線Ｓ2の内でアドレス電極２２に電圧Ｖｏｎが印加された放電セルに、選択的に書き込み放電を形成することができる。
【００８１】
続いて、各アドレス電極２２に画像データＷ4を出力するのと同期して、各維持放電電極Ｊ3，Ｊ4を電圧Ｈにスイッチする。これにより、走査線Ｓ4を成す各維持放電電極Ｊ4，Ｊ5が各電圧Ｈ，Ｌとなる一方で、各走査線Ｓ1〜Ｓ3を成す２本の維持放電電極は共に電圧Ｈとなり、又、各走査線Ｓ5〜Ｓ2Nを成す２本の維持放電電極は共に電圧Ｌとなる。その結果、走査線Ｓ4の内でアドレス電極２２に電圧Ｖｏｎが印加された放電セルに、選択的に書き込み放電を形成することができる。
【００８２】
以下、同様に、アドレス電極２２に各画像データＷ6，Ｗ8，・・・，Ｗ2N-2，W2Nを出力するのと同期して、維持放電電極Ｊ5，Ｊ6，維持放電電極Ｊ7，Ｊ8，・・・，維持放電電極Ｊ2N-3，Ｊ2N-2，維持放電電極Ｊ2N-1，Ｊ2Nへの印加電圧を順次に電圧Ｈにスイッチする。このようにして、書き込み期間Ｅ２では、偶数番目の走査線Ｓに対して昇順に選択を行なう。そして、走査線Ｓ2Nの選択の終了後に維持放電電極Ｊ2N+1を電圧Ｈへスイッチし、その後、全ての維持放電電極Ｊを一斉に電圧Ｌへスイッチする。かかる電圧Ｌへのスイッチにより、本駆動方法の維持期間ＳＴとして、既述の図１の維持期間ＳＴが適用可能である。
【００８３】
特に、本駆動方法では、書き込み期間Ｏ２における奇数番目の走査線Ｓ2n-1の選択時に、既述の背景技術の説明における維持放電電極Ｘ（Ｘn）に相当する維持放電電極Ｊ2n-1に電圧Ｈを印加すると共に、同維持放電電極Ｙ（Ｙn）に相当する維持放電電極Ｊ2nに電圧Ｌを印加する。これに対して、書き込み期間Ｅ２における偶数番目の走査線Ｓ2nの選択時には、書き込み期間Ｏ２とは逆に、同維持放電電極Ｘ（Ｘn+1）に相当する維持放電電極Ｊ2n+1に電圧Ｌを印加すると共に、同維持放電電極Ｙ（Ｙn）に相当する維持放電電極Ｊ2nに電圧Ｈを印加する。
【００８４】
このように、本駆動方法では、書き込み放電を形成する際に維持放電電極Ｊへ印加する電圧が各書き込み期間Ｏ２，Ｅ２で互いに逆になる。換言すれば、維持放電電極Ｊ2nを共有する一方の走査線Ｓ2n-1を書き込み期間Ｏ２で選択する際における、当該維持放電電極Ｊ2nと共に当該走査線Ｓ2n-1を規定する維持放電電極Ｊ2n-1の上記維持放電電極Ｊ2nに対する電位差（電圧Ｈ−電圧Ｌ）と、上記維持放電電極Ｊ2nを共有する他方の走査線Ｓ2nを書き込み期間Ｅ２で選択する際における、当該維持放電電極Ｊ2nと共に当該走査線Ｓ2nを規定する維持放電電極Ｊ2n+1の上記維持放電電極Ｊ2nに対する電位差（電圧Ｌ−電圧Ｈ）とが互いに逆極性になる。なお、かかる電圧の印加形態を「走査線を規定する維持放電電極への印加電圧の極性が双方向である」のように表現する。
【００８５】
一方、既述の図２１の駆動方法では、書き込み放電を形成する際に維持放電電極Ｘ又は維持放電電極Ｙへ印加する電圧は、サブフィールドの前半及び後半のいずれにおいても同じであり、変化しない。例えば、図２１において、維持放電電極Ｙ1は、維持放電電極Ｘ1と対を成して走査線Ｓ1を選択する場合であっても、維持放電電極Ｘ2と対を成して走査線Ｓ2を選択する場合であっても、書き込み放電形成時には電圧Ｌが印加されている。かかる電圧の印加形態を「走査線を規定する維持放電電極の極性が一方向である」のように表現する。なお、既述の図１の駆動方法においても、選択された走査線Ｓを規定する維持放電電極の極性は一方向である。
【００８６】
本駆動方法によれば、図１の駆動方法が奏する既述の効果に加えて、以下の効果を得ることができる。本駆動方法では、維持放電電極Ｊへの印加電圧を、先行の書き込み期間Ｏ２での走査の終了時から変化させることなく、後続の書き込み期間Ｅ２での走査を開始する。このため、維持放電電極Ｊへの印加電圧のスイッチは、走査線の選択時のみで良い。これに対して、図１の駆動方法では、走査線の選択時及び（走査線の選択自体には何ら関係しない）書き込み期間Ｅ２での走査開始前において上記印加電圧を電圧Ｈ（所定の初期値）にスイッチする。従って、本駆動方法によれば、図１の駆動方法と比較して、印加電圧のスイッチ回数を削減することができる。これにより、維持放電電極Ｊへ電圧を供給する回路の駆動シーケンスが単純化され、同回路の負荷を低減することができる。
【００８７】
特に、選択された走査線Ｓを規定する維持放電電極への印加電圧の極性が双方向であることに起因して以下の効果が得られる。
【００８８】
まず、上述の不要な正電荷及び負電荷が蓄積された場合であっても、確実に書き込み動作を実行することができる。詳細には、本駆動方法における書き込み期間Ｅ２では、走査線Ｓ2nを選択する際に、維持放電電極Ｊ2nではなく維持放電電極Ｊ2n+1に電圧Ｌを印加する。このため、先行の書き込み期間Ｏ２において、たとえ維持放電電極Ｊ2nの上方に上記不要な正電荷が蓄積され、アドレス電極２２の上方に上記不要な負電荷が蓄積されたとしても、続く書き込み期間Ｅ２における維持放電電極Ｊ2n+1とアドレス電極２２との間の対向放電が直接的に阻害されることがない。従って、図１の駆動方法と比較して、書き込み期間Ｅ２における書き込み放電をより確実にないしはより安定的に形成することができる。
【００８９】
＜実施の形態２の変形例１＞
さて、維持期間ＳＴの開始時において全ての維持放電電極Ｊを維持パルスの低電圧側又は高電圧側のいずれかの設定にすれば良いことに鑑みれば、ＡＣ型ＰＤＰ２００の駆動方法として図３に示すタイミングチャートを適用することができる。なお、既述の書き込み期間Ｅ２に相当する書き込み期間Ｅ２ａ及び既述の維持期間ＳＴに相当する維持期間ＳＴａにおける各駆動方法以外は図２のタイミングチャートと同様である。
【００９０】
本駆動方法では、書き込み期間Ｅ２ａにおいて、既述の書き込み期間Ｅ２（図２参照）と同様に、偶数番目の走査線Ｓを昇順に選択し、走査線Ｓ2Nの選択後に維持放電電極Ｊ2N+1を電圧Ｈにスイッチする。その後、図２のタイミングチャートとは異なり、全ての維持放電電極Ｊに電圧Ｈを印加された状態で、書き込み期間Ｅ２ａを終了する。
【００９１】
そして、維持期間ＳＴａを、図２のタイミングチャートの各維持パルスを反転させた各パルスで以て実行する。この際、次のサブフィールドのリセット期間Ｒとの電圧の連続性から、維持期間ＳＴａの最後において、奇数番目の各維持放電電極Ｊ2n-1は電圧Ｈとなるように、且つ、偶数番目の各維持放電電極Ｊ2nは電圧Ｌになるように各維持パルスの個数を設定する。
【００９２】
本変形例１に係る駆動方法によっても、上述の実施の形態２の効果が得られる。更に、本駆動方法では、維持放電電極Ｊへの印加電圧を、書き込み期間ＡＤ２の終了時から変化させることなく、維持期間ＳＴａでの放電維持動作を開始する。これに対して、図１や図２の駆動方法では、維持期間ＳＴの開始前に上記印加電圧を電圧Ｌ（所定の初期値）にスイッチする。従って、本駆動方法によれば、図１等の駆動方法と比較して、印加電圧のスイッチ回数を削減することができる。これにより、維持放電電極Ｊへ電圧を供給する回路の駆動シーケンスが単純化され、同回路の負荷を低減することができる。なお、維持放電電極Ｊへの印加電圧を書き込み期間の終了時と維持期間の開始時とで変化させることなく連続にする駆動方法は、後述の各駆動方法にも適用可能である。
【００９３】
＜実施の形態２の変形例２＞
図４に、本変形例２に係る駆動方法を説明するためのタイミングチャートを示す。図４の駆動方法では、既述の図２の駆動方法における２つの書き込み期間Ｏ２，Ｅ２の順番を入れ替えている。つまり、書き込み期間ＡＤ２において、まず偶数番目の走査線用の書き込み期間Ｅ２ｂを実行し、次に奇数番目の走査線用の書き込み期間Ｏ２ｂを実行している。リセット期間Ｒ及び維持期間ＳＴは図２と同様である。
【００９４】
詳細には、先行の書き込み期間Ｅ２ｂでは、図２１の駆動シーケンスにおけるサブフィールドの後半の書き込み期間ＡＤＰと同様の駆動シーケンスを実行する。これにより、偶数番目の走査線を昇順で選択する。
【００９５】
後続の書き込み期間Ｏ２ｂは、全ての維持放電電極Ｊに電圧Ｌが印加された状態で開始される。本書き込み期間Ｏ２ｂでは、アドレス電極２２に各画像データＷ2N-1，Ｗ2N-3、Ｗ2N-5，・・・，Ｗ3，Ｗ1を降順で出力するのと同期して、維持放電電極Ｊ2N+1，Ｊ2N，維持放電電極Ｊ2N-1，Ｊ2N-2，維持放電電極Ｊ2N-3，Ｊ2N-4，・・・，維持放電電極Ｊ5，Ｊ4，維持放電電極Ｊ3，Ｊ2を順次に電圧Ｈにスイッチする。その後、全ての維持放電電極Ｊへの印加電圧を電圧Ｌにスイッチした後に、維持期間ＳＴを実行する。本変形例２に係る駆動方法によっても上述の実施の形態２の効果が得られる。
【００９６】
なお、各維持放電電極Ｊを各所定のタイミングで電圧Ｈへスイッチして行き、維持放電電極Ｊ2に対する同スイッチが終了した後に、維持放電電極Ｊ1を電圧Ｈにスイッチし、全ての維持放電電極Ｊが電圧Ｈにある状態のまま、上述の図３の維持期間ＳＴａを実行しても良い。
【００９７】
＜実施の形態２の変形例３＞
図５に、本変形例３に係る駆動方法を説明するためのタイミングチャートを示す。本駆動方法では、偶数番目の走査線用の書き込み期間Ｅ２ｃでの駆動シーケンスが図２の同書き込み期間Ｅ２とは異なる。リセット期間Ｒ，書き込み期間Ｏ２及び維持期間ＳＴは図２の各同期間と同様である。
【００９８】
本駆動方法における書き込み期間Ｅ２ｃでは、まず、先行の書き込み期間Ｏ２の終了後ないしは本書き込み期間Ｅ２ｃにおける走査の開始前に、全ての維持放電電極Ｊに電圧Ｈを印加する。その後、アドレス電極２２に各画像データＷ2N，Ｗ2N-2，Ｗ2N-4，・・・，Ｗ4，Ｗ2を降順で出力するのと同期して、維持放電電極Ｊ2N+1，維持放電電極Ｊ2N，Ｊ2N-1，維持放電電極Ｊ2N-2，Ｊ2N-3，・・・，維持放電電極Ｊ6，Ｊ5，維持放電電極Ｊ4，Ｊ3を順次に電圧Ｌにスイッチする。これにより、走査線Ｓ2N→走査線Ｓ2N-2→走査線Ｓ2N-4→・・・→走査線Ｓ4→走査線Ｓ2のように、降順で走査線Ｓを選択する。
【００９９】
本変形例３に係る駆動方法においても、走査線Ｓを規定する維持放電電極への印加電圧の極性が双方向であるので、それに起因した上述の実施の形態２の効果が得られる。
【０１００】
このように、実施の形態２に係る駆動方法の変形例として、奇数番目と偶数番目とのいずれの走査線用の書き込み期間を先行で実行するか、又、各書き込み期間における走査の開始時の維持放電電極Ｊの電圧を電圧Ｈと電圧Ｌとのいずれに設定するか、又、各書き込み期間における走査線の選択順序を昇順と降順とのいずれにするか等に関して、種々の駆動シーケンスが考えられ、適用可能である。
【０１０１】
＜実施の形態３＞
さて、上述の図２の駆動方法では、奇数番目の維持放電電極Ｊ2n+1の電圧は、書き込み期間Ｏ２において電圧Ｈから電圧Ｌへスイッチされた後、後続の書き込み期間Ｅ１において再び電圧Ｈに戻されるまでの間、引き続き電圧Ｌである。このとき、当該維持放電電極Ｊ2n+1に電圧Ｌが印加され続けている一方で、各書き込み期間Ｏ２，Ｅ２での走査が、走査線Ｓ2n-1→走査線Ｓ2n-3→・・・→走査線Ｓ3→走査線Ｓ1→走査線Ｓ2→走査線Ｓ4→・・・→走査線Ｓ2n-2と進行していく。このため、走査の途中で、当該維持放電電極Ｊ2n+1とは関係のない走査電極Ｓの画像データＷに対応してアドレス電極２２に電圧Ｖｏｎが印加された時に、選択対象ではない走査線Ｓ2nに属する放電セル内において電圧Ｌが印加されている当該維持放電電極Ｊ2n+1と電圧Ｖｏｎが印加されているアドレス電極２２との間で上述の不要な対向放電が発生する場合がある。その結果、走査線Ｓ2nの選択時に当該走査線Ｓnに属する放電セルで書き込み放電が形成されない場合が生じうる。既述のように、書き込み放電が確実に形成されないと、維持期間ＳＴにおいて不点灯等の画像表示の不具合が惹起される。
【０１０２】
ところで、図２の駆動方法の書き込み期間Ｏ２において、選択された奇数番目の走査線Ｓ2n-1に属する放電セル内で書き込み放電を形成する時、当該走査線Ｓ2n-1を規定する各維持放電電極Ｊ2n-1，Ｊ2nへ各電圧Ｈ，Ｌが印加される。このため、書き込み放電により、当該放電セル内のカソード膜１１の露出部分上であって、維持放電電極Ｊ2n-1の上方に負電荷が正規に蓄積され、維持放電電極Ｊ2nの上方に正電荷が正規に蓄積される。
【０１０３】
その後、例えば次の走査線Ｓ2n-3の選択時に維持放電電極Ｊ2n-1を電圧Ｌにスイッチすると、当該電圧Ｌに、上述の当該維持放電電極Ｊ2n-1の上方に蓄積された正規の負電荷による電圧が重畳され、かかる負電荷は当該維持放電電極Ｊ2n-1に起因する電界を強める方向に作用する。このため、維持放電電極Ｊ2n-1を電圧Ｌにスイッチした以後に、アドレス電極２２に別の走査線Ｓの選択に対応して電圧Ｖｏｎが印加されると、維持放電電極Ｊ2n-1とアドレス電極２２との間で誤って対向放電が起こる場合がある。
【０１０４】
かかる誤った対向放電は当該維持放電電極Ｊ2n-1の側に正規に蓄えられていた負電荷を減少させてしまう。このとき、維持期間ＳＴにおいて維持放電を形成するために必要な量の負電荷が残存しないときには、維持期間ＳＴにおいて不点灯等の画像表示の不具合が生じる場合がある。
【０１０５】
そこで、実施の形態３では、上述の不要な対向放電及び誤った対向放電を低減して、表示品質を向上しうる駆動方法を説明する。
【０１０６】
図６に、実施の形態３に係る駆動方法を説明するためのタイミングチャートを示す。図６は、アドレス電極２２及び各維持放電電極Ｊに印加する各電圧の１サブフィールド当りの電圧シーケンスを示している。本駆動方法は書き込み期間ＡＤ３における駆動方法に特徴があり、かかる点を中心に説明する。リセット期間Ｒ及び維持期間ＳＴは既述の電圧シーケンスが適用可能である。
【０１０７】
書き込み期間ＡＤ３は、奇数番目の走査線用の書き込み期間Ｏ３と、偶数番目の走査線用の書き込み期間Ｅ３とで構成される。なお、ここでは一例として、書き込み期間Ｏ３を先に実行し、その後に書き込み期間Ｅ３を実行する場合を説明するが、各書き込み期間Ｏ３，Ｅ３の実行順序を入れ替えても良い。
【０１０８】
特に、本駆動方法では、書き込み放電の形成を抑制する電圧（放電抑制電圧）（値）Ｍを用いる。当該、電圧Ｍは電圧Ｈと電圧Ｌとの間の電圧値を有する。より具体的には、電圧Ｍは、アドレス電極２２に電圧Ｖｏｎが印加されている場合であっても、アドレス電極２２と当該電圧Ｍが印加される維持放電電極Ｊとの間で対向放電（従って、書き込み放電）を形成しえない電圧値を有する。なお、図６では、一例として、電圧（値）Ｍが電圧Ｈと電圧Ｌとのちょうど中間電圧の場合を図示している。
【０１０９】
まず、書き込み期間Ｏ３では、奇数番目の走査線Ｓの走査の開始前に、奇数番目の維持放電電極Ｊの全てを電圧Ｈに設定し、偶数番目の維持放電電極Ｊの全てを電圧Ｍに設定する。そして、奇数番目の走査線Ｓ2n-1を降順で選択するに際して、隣接する各維持放電電極Ｊ2n+1，Ｊ2nを各電圧Ｍ，Ｌにスイッチすると同時に、直前の走査線Ｓ2n+1の選択時に電圧Ｌにスイッチされていた維持放電電極Ｊ2n+2を電圧Ｍにスイッチする。かかる電圧シーケンスによれば、走査線Ｓ1の選択を終えた時点で、全ての維持放電電極Ｊに電圧Ｍが印加された状態となる。
【０１１０】
引き続く書き込み期間Ｅ３では、偶数番目の走査線Ｓ2nを降順で選択するに際して、隣接する各維持放電電極Ｊ2n，Ｊ2n+1を各電圧Ｈ，Ｌにスイッチすると同時に、直前の走査線Ｓ2n-2の選択時に電圧Ｌにスイッチされていた維持放電電極Ｊ2n-1を電圧Ｍにスイッチする。かかる電圧シーケンスによれば、走査線Ｓ2Nの選択を終えた時点で、奇数番目の全維持放電電極Ｊ2n-1に電圧Ｍが印加されており、偶数番目の全維持放電電極Ｊ2nに電圧Ｈが印加された状態となる。その後、偶数番目の全維持放電電極Ｊ2nを電圧Ｍにスイッチして、全ての維持放電電極Ｊに電圧Ｍが印加された状態で書き込み期間Ｅ３を終了する。
【０１１１】
続く維持期間ＳＴでは、全ての維持放電電極Ｊを電圧Ｌにスイッチした後に、所定の維持パルスを印加する。なお、全ての維持放電電極Ｊを電圧Ｈにスイッチして、既述の図３の維持期間ＳＴａのように図６の維持パルスの極性を全て反転させた維持パルスで以て維持期間を実行しても良い。
【０１１２】
本駆動方法によれば、実施の形態１及び２の各駆動方法が奏する既述の効果に加えて、以下の効果を得ることができる。
【０１１３】
本駆動方法では、書き込み期間Ｏ３において所定の走査線Ｓの選択後に維持放電電極Ｊ2n+1に電圧Ｍを印加する。このため、維持放電電極Ｊ2n+1を電圧Ｈから電圧Ｍへスイッチした後に走査線Ｓ2n-1→走査線Ｓ2n-3→・・・→走査線Ｓ3→走査線Ｓ1→走査線Ｓ2→走査線Ｓ4→・・・→走査線Ｓ2n-2と走査が進行していく際にアドレス電極２２に電圧Ｖｏｎが印加されても、維持放電電極Ｊ2n+1とアドレス電極２２との間に不要な対向放電が発生しないようにすることができる。
【０１１４】
更に、走査線Ｓ2n-1の選択後は維持放電電極Ｊ2n-1に電圧Ｍが印加されているので、書き込み動作が実行されたことにより選択が完了している走査線Ｓ2n-1に属する放電セル内の維持放電電極Ｊ2n-1の上方に正規の負電荷が蓄積されている場合であっても、維持放電電極Ｊ2n-1とアドレス電極２２との間に、当該負電荷が作用して誤った対向放電が発生することを抑制することができる。
【０１１５】
その結果、図２の駆動方法と比較して、不点灯等の不都合が低減されてより高品質な画像表示を得ることができる。
【０１１６】
ところで、図６のように上記放電抑制電圧Ｍを導入して書き込み期間で維持放電電極に電圧Ｌを印加するのは対応する走査線を選択する時に限るという電圧シーケンスを組むと、書き込み期間Ｏ３では、維持放電電極Ｊ2nに電圧Ｌが印加されるまで当該維持放電電極Ｊ2nには定常的に電圧Ｍが印加されている一方、それに隣接する維持放電電極Ｊ2n-1，Ｊ2n+1には定常的に電圧Ｈが印加されている。このように、隣接する維持放電電極の間に定常的な電圧（Ｈ−Ｍ）が作用する場合には、一般には当該隣接維持放電電極の間でマイグレーションが発生する場合がある。
【０１１７】
しかし、後続の書き込み期間Ｅ３では、維持放電電極Ｊ2n+1に電圧Ｌが印加された以降で当該維持放電電極Ｊ2n+1に定常的に電圧Ｍが印加され、それと隣接する維持放電電極Ｊ2n，Ｊ2n+2には定常的に電圧Ｈが印加される。従って、書き込み期間ＡＤ３において隣接する維持放電電極間に作用する定常電圧（Ｈ−Ｍ）は、書き込み期間Ｏ３と書き込み期間Ｅ３とでは互いに逆ベクトルとなっており、作用する時間も互いに等しい。このため、書き込み期間ＡＤ３を通じては、隣接する維持放電電極間に作用する電圧の極性は双方向となり、均衡が取れている。従って、マイグレーションの発生は極めて低い。
【０１１８】
このように実施の形態３において書き込み期間におけるマイグレーションの発生を低く抑えられるのは、以下の理由による。即ち、上述の実施の形態２の駆動方法のように、書き込み期間で１本の維持放電電極を共有する隣接の２本の走査線を互いに排他的に選択する際に当該共有の維持放電電極への印加電圧の極性を互いに逆極性としたことによる。
【０１１９】
ここで、図１に示す実施の形態１の書き込み期間ＡＤ１に、書き込み放電の動作の安定化を図るべく上記放電抑制電圧Ｍを導入した場合を想定すると、奇数番目の維持放電電極Ｊ2n-1へ印加する電圧Ｌを電圧Ｍに置換し、偶数番目の維持放電電極Ｊ2nへの印加電圧は電圧Ｍをベースとして、対応する走査線を選択する時に限り電圧Ｌにスイッチするという形態となる。この場合には、全走査線を対象とする書き込み期間を通じて、隣接する維持放電電極間に所定の期間に作用する上述の定常的な電圧（Ｈ−Ｍ）の極性はいずれの隣接する維持放電電極間においても一方向に偏ってしまう。このため、マイグレーションが発生しやすい。
【０１２０】
なお、電圧Ｈ＞電圧Ｍ＞電圧Ｌという大小関係を保ちつつ、電圧Ｍの値を書き込み期間Ｅ３において奇数番目の維持放電電極Ｊ2n-1に印加する電圧値Ｍと、書き込み期間Ｏ３において偶数番目の維持放電電極Ｊ2nに印加する電圧値Ｍとの各電圧値を違えても良い。例えば、奇数番目の維持放電電極Ｊ2n-1に印加する電圧Ｍを主として上述の不要な対向放電を抑制しうる電圧値に設定する一方で、偶数番目の維持放電電極Ｊ2nに印加する電圧Ｍを主として上述の誤った対向放電を抑制しうる電圧値に設定しても良い。
【０１２１】
さて、実施の形態３に係る駆動方法では、書き込み期間ＡＤ３において３つの電圧（値）Ｈ，Ｍ，Ｌを必要とする。このため、維持放電電極Ｊに所定の電圧を供給する回路（一般にＩＣ化されており、ドライバＩＣと呼ばれる）を、単に、３つの電圧Ｈ，Ｍ，Ｌを入力電圧とし、これらを切り替えて維持放電電極Ｊに出力する構成とするならば、２つの電圧Ｈ，Ｌを切り替えて出力する、既述の図１等の駆動方法に適用される同回路よりも回路構成が複雑になる。
【０１２２】
そこで、図６の駆動方法に適した、維持放電電極Ｊへの電圧供給回路を説明する。図７に、かかる回路のブロック図を示す。図７に示すように、本電源供給回路３００では、上記ドライバＩＣ３０１の入力側と３つの電圧Ｈ，Ｍ，Ｌ（の各電源）との間に切り替えスイッチ３０２を備える。切り替えスイッチ３０２は３つの電圧Ｈ，Ｍ，Ｌを入力とし、これらの内の２つ電圧を選択的にドライバＩＣ３０１に伝達する。そして、ドライバＩＣ３０１は入力された上記２つの電圧の内で各維持放電電極Ｊに印加すべき一方の電圧を各維持放電電極Ｊ毎に印加する。
【０１２３】
かかる電圧供給回路３００を奇数番目の維持放電電極用と偶数番目の維持放電電極用との２つを準備することにより、図６の駆動方法を実行することができる。詳細には、切り替えスイッチ３０２を制御することによって、奇数番目の維持放電電極用の電圧供給回路３００を、書き込み期間Ｏ３では２つの電圧Ｈ，ＭをドライバＩＣ３０１へ伝達する構成とする一方で、書き込み期間Ｅ３では２つの電圧Ｍ，ＬをドライバＩＣ３０１へ伝達する構成とする。これに対して、偶数番目の維持放電電極用の電圧供給回路３００は、書き込み期間Ｏ３では２つの電圧Ｍ，ＬをドライバＩＣ３０１へ伝達する構成とする一方で、書き込み期間Ｅ３では２つの電圧Ｈ，ＭをドライバＩＣ３０１へ伝達する構成とする。
【０１２４】
このようにドライバＩＣ３０１への入力電圧を所定の期間で区切って切り替えることにより、電圧供給回路３００のドライバＩＣ３０１として、上述の２つの電圧Ｈ，Ｌを切り替えて出力するドライバＩＣと同様のものを適用することができる。即ち、図１等の駆動方法に適用されるドライバＩＣに、切り替えスイッチ３０２を追加するという簡単な回路の変更のみで、図６の駆動方法を実行することができる。
【０１２５】
＜実施の形態３の変形例１＞
図８に、本変形例１に係る駆動方法を説明するためのタイミングチャートを示す。図８のタイミングチャートでは、偶数番目の走査線用の書き込み期間Ｅ３ａでの電圧シーケンス以外は図６のタイミングチャートと同様である。
【０１２６】
本駆動方法の書き込み期間Ｅ３ａでは、走査の開始前に、奇数番目の維持放電電極Ｊの全てを電圧Ｍに設定し、偶数番目の維持放電電極Ｊの全てを電圧Ｈに設定する。その後、偶数番目の各走査線Ｓを降順で走査する。具体的には、アドレス電極２２への画像データＷ2nの印加タイミングと同期して、各維持放電電極Ｊ2n+2，Ｊ2n+1を各電圧Ｍ，Ｌにスイッチすると同時に、直前の走査線の選択時に電圧Ｌにスイッチされていた維持放電電極Ｊ2n+3を電圧Ｍにスイッチする。これにより、走査線Ｓ2nを規定する各維持放電電極Ｊ2n，Ｊ2n+1に各電圧Ｈ，Ｌが印加される。
【０１２７】
本駆動方法によれば、上述の実施の形態３の効果に加えて、以下の効果を得ることができる。即ち、走査の開始前に偶数番目の維持放電電極Ｊ2nを電圧Ｈに設定するので、走査線Ｓ2nの選択時に維持放電電極Ｊ2nの電圧をスイッチする必要が無い。このため、図６の書き込み期間Ｅ３のように選択された走査線Ｓ2nを成す維持放電電極の双方の電圧変化ないしはパルスの立ち上がり及び立下がりによって書き込み放電の開始タイミングが規定されず、維持放電電極Ｊ2n+1の電圧Ｍから電圧Ｌにスイッチする時間だけで書き込み放電の開始タイミングが規定される。その結果、図６の書き込み期間Ｅ３と比較して、書き込み放電形成の応答をより速くすることができ、確実な書き込み放電を形成可能である。
【０１２８】
＜実施の形態４＞
さて、上述の書き込み期間Ｏ３では、奇数番目の走査線Ｓ2n-1に属する放電セル内のカソード膜１１の露出部分上であって各維持放電電極Ｊ2n-1，Ｊ2nの上方にそれぞれ、画像データＷに応じて選択的に負電荷，正電荷が正規に蓄えられる。この状態から直ちに書き込み期間Ｅ３へ移行すると、書き込み期間Ｅ３における書き込み放電が不安定になる場合がある。これは以下の理由による。書き込み期間Ｅ３において偶数番目の走査線Ｓ2nを選択するために維持放電電極Ｊ2nを電圧Ｍから電圧Ｈへスイッチすると、維持放電電極Ｊ2nを共有する、当該走査線Ｓ2nに隣接した走査線Ｓ2n-1において維持放電電極Ｊ2n-1，Ｊ2n間に面放電が発生することがある。この面放電によるプライミング効果によって、選択された走査線Ｓ2nの放電セルの内でアドレス電極２２に電圧Ｖｏｆｆが印加されている放電セルにおいてイレギュラーな書き込み放電ないしは誤った書き込み放電が誘起され、書き込み放電が不安定になる場合がある。かかる誤った書き込み放電により、維持期間ＳＴにおいて不点灯等の画像表示の不具合が惹起される。
【０１２９】
誤った書き込み放電を誘起する上述の面放電は、先の書き込み期間Ｏ３において各維持放電電極Ｊ2n-1，Ｊ2nの上方に蓄積された上記負電荷及び正電荷が形成する電界と、書き込み期間Ｅ３で維持放電電極Ｊ2n-1，Ｊ2nに印加される電圧Ｍ及び電圧Ｈによる電界とが重畳されることによって生じる。
【０１３０】
このとき、電圧値Ｍをより高くして電圧Ｈとの電圧差を小さくすれば上記面放電の発生をある程度は抑制することができる。しかしながら、電圧値Ｍをより高く設定した場合、維持放電電極Ｊ2n-1に電圧Ｌが印加された際に、電圧Ｌが印加されている維持放電電極Ｊ2n-1と電圧Ｍが印加されている維持放電電極Ｊ2nとの間に、即ち、走査線Ｓ2n-1において誤放電が発生する場合がある。
【０１３１】
そこで、実施の形態４では、上述の誤った書き込み放電を抑制・除去しうる駆動方法を説明する。
【０１３２】
図９に、実施の形態４に係る駆動方法を説明するためのタイミングチャートを示す。図９は、アドレス電極２２及び各維持放電電極Ｊに印加する各電圧の１サブフィールド当りの電圧シーケンスを示している。本駆動方法は書き込み期間ＡＤ４における駆動方法に特徴があり、かかる点を中心に説明する。リセット期間Ｒ及び維持期間ＳＴは既述の電圧シーケンスが適用可能である。
【０１３３】
書き込み期間ＡＤ４は、奇数番目の走査線用の書き込み期間Ｏ４と、偶数番目の走査線用の書き込み期間Ｅ４と、両書き込み期間Ｏ４，Ｅ４の間に設けられた極性反転期間ＲＶとで構成される。なお、ここでは一例として、各書き込み期間Ｏ４，Ｅ４として既述の各書き込み期間Ｏ３，Ｅ３を適用し、書き込み期間Ｏ４を先に実行し、その後に書き込み期間Ｅ４を実行する場合を説明する。
【０１３４】
特に、極性反転期間ＲＶでは、全てのアドレス電極２２に電圧Ｖｏｆｆを印加すると共に、維持放電電極Ｊnには以下のように電圧を印加する。まず、奇数番目の全ての維持放電電極Ｊへの印加電圧を一斉に電圧Ｍから電圧Ｌへスイッチすると同時に、偶数番目の全ての維持放電電極Ｊへの印加電圧を一斉に電圧Ｍから電圧Ｈへスイッチする。その後、偶数番目の全ての維持放電電極Ｊへの印加電圧を一斉に電圧Ｍへ戻すと同時に、奇数番目の全ての維持放電電極Ｊへの印加電圧を一斉に電圧Ｍへ戻す。
【０１３５】
極性反転期間ＲＶにおける奇数番目及び偶数番目の各維持放電電極Ｊ2n-1，Ｊ2nの各電圧Ｌ，Ｈへのスイッチは、書き込み期間Ｏ４において奇数番目の走査線Ｓ2n-1を選択するために上記各維持放電電極Ｊ2n-1，Ｊ2nに印加される各電圧Ｈ，Ｌとは逆の極性である。ところで、書き込み期間Ｏ４において書き込み動作が行われた放電セルでは、カソード膜１１の露出部分上であって各維持放電電極Ｊ2n-1、Ｊ2nの上方に正規に負電荷，正電荷が蓄積されている。このとき、各維持放電電極Ｊ2n-1、Ｊ2n上方の壁電荷ないしは蓄積電荷による電界と、極性反転期間ＲＶでの当該各維持放電電極Ｊ2n-1、Ｊ2nへの各印加電圧Ｌ，Ｈによる電界とが重畳されて、当該維持放電電極Ｊ2n-1，Ｊ2n間に面放電が発生する。
【０１３６】
この面放電は、奇数番目の走査線Ｓ2n-1に属する放電セルの内で書き込み放電が形成された放電セルにおいて、当該放電セルに属する各維持放電電極Ｊの上方に書き込み放電により形成・蓄積された各電荷の極性を、極性反転期間ＲＶの実行前、即ち、先行の書き込み期間Ｏ４の終了時点とは反転させて終了する。具体的には、当該放電セル内のカソード膜１１の露出部分上であって、電圧Ｌが印加されている維持放電電極Ｊ2n-1の上方に正電荷が蓄積され、電圧Ｈが印加されている維持放電電極Ｊ2nの上方に負電荷が蓄積される。
【０１３７】
その後、両維持放電電極Ｊ2n-1，Ｊ2nを電圧Ｍにスイッチして、引き続く書き込み期間Ｅ４を実行する。
【０１３８】
本駆動方法によれば、上述の実施の形態３の効果に加えて、以下の効果を得ることができる。即ち、極性反転期間ＲＶの終了時点、即ち、後続の書き込み期間Ｅ４の開始前には、走査線Ｓ2n-1に属する放電セル内のカソード膜１１の露出部分上であって維持放電電極Ｊ2n-1の上方に正電荷が蓄積されており、維持放電電極Ｊ2nの上方に負電荷が蓄積されている。このため、後続の書き込み期間Ｅ４において偶数番目の走査線Ｓ2nを選択するために維持放電電極Ｊ2nを電圧Ｍから電圧Ｈへスイッチした場合であっても、各維持放電電極Ｊ2n-1，Ｊ2nへの各印加電圧Ｍ，Ｈの極性と当該各維持放電電極Ｊ2n-1，Ｊ2n上方の上記各蓄積電荷の極性とを逆極性にすることができる。
【０１３９】
従って、書き込み期間Ｅ４で、選択される走査線Ｓ2nと維持放電電極Ｊ2nを挟んで隣接する走査線Ｓ2n-1において、維持放電電極Ｊ2n-1，Ｊ2n間に面放電が発生することを格段に抑制することができる。その結果、走査線Ｓ2nの選択時にアドレス電極２２への印加電圧が電圧Ｖｏｆｆであっても、当該走査線Ｓ2nで上述の誤った書き込み放電が発生することを大幅に抑制することができる。その結果、図２の駆動方法と比較して、不点灯等の不都合が低減されてより高品質な画像表示を得ることができる。
【０１４０】
＜実施の形態４の変形例１＞
図１０に、本変形例１に係る駆動方法を説明するためのタイミングチャートを示す。図１０のタイミングチャートでは、極性反転期間ＲＶａ及び書き込み期間Ｅ４ａの各電圧シーケンス以外は図９のタイミングチャートと同様である。
【０１４１】
本駆動方法の極性反転期間ＲＶａでは、上述の図９の極性反転期間ＲＶと同様に、奇数番目及び偶数番目の各全維持放電電極Ｊを電圧Ｍから各電圧Ｌ，Ｈへスイッチする。その後、奇数番目の全維持放電電極Ｊを電圧Ｍへスイッチする一方で、上述の図９の極性反転期間ＲＶとは異なり、偶数番目の全維持放電電極Ｊへの印加電圧は電圧Ｈに設定したままとする。
【０１４２】
そして、各維持放電電極Ｊ2n-1，Ｊ2nに各電圧Ｍ，Ｈに印加された状態で、後続の書き込み期間Ｅ４ａを開始する。書き込み期間Ｅ４ａでは、既述の書き込み期間Ｅ３ａ（図８参照）と同様に、偶数番目の各走査線Ｓを降順で走査する。換言すれば、当該書き込み期間Ｅ４ａにおける走査の開始前の各維持放電電極Ｊの印加電圧の状態以外は、本書き込み期間Ｅ４ａとして既述の書き込み期間Ｅ３ａと同様の電圧シーケンスが適用される。
【０１４３】
本駆動方法によっても上述の実施の形態４の効果が得られる。
【０１４４】
＜実施の形態５＞
図１１〜図１４に、実施の形態５に係る駆動方法を説明するためのタイミングチャートを示す。なお、本駆動方法におけるリセット期間及び維持期間は既述のリセット期間Ｒ及び維持期間ＳＴが適用可能であるため、図１１〜図１４への図示化は省略し、書き込み期間ＡＤ５のみを図示している。また、説明の便宜上、維持放電電極Ｊの全本数を（４Ｎq＋１）本とし、走査線Ｓの全本数を４Ｎq本としている。また、図面の煩雑化を避けるために、維持放電電極Ｊの電圧シーケンスに関して、図１１及び図１３には維持放電電極Ｊ1〜Ｊ９までを図示し、図１２及び図１４には維持放電電極Ｊ4Nq-6〜Ｊ4Nq+1までを図示している。
【０１４５】
書き込み期間ＡＤ５は、奇数番目の走査線Ｓの用の書き込み期間Ｏ５（図１１及び図１２参照）と、偶数番目の走査線Ｓ用の書き込み期間Ｅ５（図１３及び図１４参照）とが、極性反転期間ＲＶ（図１３及び図１４参照）を挟んで設定されている。
【０１４６】
特に、本駆動方法では、奇数番目の走査線用の書き込み期間Ｏ５を更に２つの書き込み期間Ｑ3，Ｑ1に分割している。詳細には、書き込み期間Ｑ3は走査線Ｓ3，Ｓ7，・・・，Ｓ4Nq-5，Ｓ4Nq-1用のないしは走査線Ｓ4k+3（０≦ｋ≦Ｎｑ−１）用の書き込み期間であり、書き込み期間Ｑ1は走査線Ｓ1，Ｓ5，・・・，Ｓ4Nq-7，Ｓ4Nq-3用のないしは走査線Ｓ4k+1用の書き込み期間である。ここでは一例として、走査線Ｓ4k+3用の書き込み期間Ｑ3を先に実行し、その後に走査線Ｓ4k+1用の書き込み期間Ｑ1を実行する場合を説明する。
【０１４７】
同様に、偶数番目の走査線用の書き込み期間Ｅ５を更に２つの書き込み期間Ｑ2，Ｑ4に分割している。詳細には、書き込み期間Ｑ2は走査線Ｓ2，Ｓ6，・・・，Ｓ4Nq-6，Ｓ4Nq-2用のないしは走査線Ｓ4k+2用の書き込み期間であり、書き込み期間Ｑ4は走査線Ｓ4，Ｓ8，・・・，Ｓ4Nq-4，Ｓ4Nq用のないしは走査線Ｓ4k+4用の書き込み期間である。ここでは一例として、走査線Ｓ4k+2用の書き込み期間Ｑ2を先に実行し、その後に走査線Ｓ4k+4用の書き込み期間Ｑ4を実行する場合を説明する。
【０１４８】
このように、本駆動方法では書き込み期間ＡＤ５ないしは全走査線Ｓを４つのグループに分割した上で、各書き込み期間Ｑm（ｍ＝１，２，３，４）において以下の駆動シーケンスを実行する。
【０１４９】
ここでは、具体例としてｍ＝３の場合の駆動方法、即ち、走査線Ｓ4k+3用の書き込み期間Ｑ3における駆動方法を説明する。まず、書き込み期間Ｑ3における走査の開始前に、維持放電電極Ｊ4k+3を電圧Ｈにスイッチし、他の各維持放電電極Ｊ4k+1，Ｊ4k+2，Ｊ4k+4を電圧Ｍにスイッチしておく。
【０１５０】
その後、各走査線Ｓ4k+3を降順に選択する。詳細には、画像データＷ4Nq-1（ｋ＝Ｎｑ−１の場合に相当）に応じた電圧をアドレス電極２２へ印加するのと同期して、維持放電電極Ｊ4Nqを電圧Ｌにスイッチする。これにより、電圧Ｌが印加されている維持放電電極Ｊ4Nqと、これに隣接した、電圧Ｈが印加されている維持放電電極Ｊ4Nq-1とで規定される走査線Ｓ4Nq-1が選択される。次に、アドレス電極２２へ画像データＷ4Nq-5（ｋ＝Ｎｑ−２の場合に相当）を印加するのと同期して、維持放電電極Ｊ4Nq-4を電圧Ｌにスイッチする。これにより、走査線Ｓ4Nq-5が選択される。なお、このとき、上記維持放電電極Ｊ4Nqは電圧Ｍへスイッチする。同様の電圧シーケンスを順次に行って、走査線Ｓ3（ｋ＝０の場合に相当）まで走査する。
【０１５１】
他の書き込み期間Ｑ1，Ｑ2，Ｑ4においても同様の駆動シーケンスが適用される。つまり、走査線Ｓ4k+m用の書き込み期間Ｑmでは、アドレス電極２２及び維持放電電極Ｊに以下の各電圧を印加する。
【０１５２】
アドレス電極２２に画像データＷ4k+mに応じた電圧Ｖｏｎ又は電圧Ｖｏｆｆを印加する。これに対して、選択対象となる当該走査線Ｓ4k+mを規定する各維持放電電極Ｊ4k+m，Ｊ4k+m+1に以下の各電圧を印加する。維持放電電極Ｊ4k+mには、少なくとも走査期間中、電圧Ｈを印加する。他方、維持放電電極Ｊ4k+m+1には、当該維持放電電極Ｊ4k+m+1が規定する走査線Ｓ4k+mを選択すべき期間のみ電圧Ｌを印加し、その他の期間では電圧Ｍを印加する。このとき、かかる電圧Ｌの印加は、上述のアドレス電極２２への電圧印加と同期して行う。
【０１５３】
このとき、当該書き込み期間Ｑmにおいて走査に関与しない各維持放電電極Ｊ4k+m-1，Ｊ4k+m+2には少なくとも走査期間中、電圧Ｍを印加する。
【０１５４】
本駆動方法によれば、上述の実施の形態４の効果に加えて、以下の効果を得ることができる。
【０１５５】
まず、各書き込み期間Ｑmにおいて、隣接する４本の維持放電電極Ｊの内で連続する２本は当該書き込み期間Ｑmでの走査に関与しない。換言すれば、走査に関与する２本の維持放電電極は、上述の走査に関与しない維持放電電極Ｊで挟まれている。このため、走査に関与しない維持放電電極Ｊに継続的に電圧Ｍを印加しておくことによって、走査に関与する上記２本の維持放電電極Ｊに電圧Ｈや電圧Ｌを印加しても、選択対象ではない走査線Ｓにおいて誤った書き込み放電が発生しない。従って、走査に関与する２本の維持放電電極Ｊの一方に継続的に電圧Ｈを印加しておくが可能である。
【０１５６】
このため、上記一方の維持放電電極Ｊに継続的に電圧Ｈを印加しておくことにより、走査に関与する２本の維持放電電極の他方への印加電圧を電圧Ｌへスイッチするだけでその走査線Ｓを選択することができる。従って、実施の形態３の変形例１に係る駆動方法と同様に、書き込み放電形成の応答をより速くすることができ、確実な書き込み放電が形成可能である。
【０１５７】
このとき、上述のように隣接する４本の維持放電電極Ｊの内の１本のみを電圧Ｌへスイッチするだけ良いし、上記電圧Ｌへのスイッチするタイミングとアドレス電極２２への画像データＷの印加タイミングとを整合させるだけで良いので、既述の駆動方法と比較して駆動シーケンスが単純化される。このため、駆動回路又はドライバＩＣの負荷を低減することができる。
【０１５８】
なお、図１１〜図１４の駆動方法では書き込み期間Ｑmにおける走査線Ｓの選択順序を昇順又は降順としているが、アドレス電極２２へ入力する画像データＷと選択する走査線Ｓとが対応してれば選択順序は任意に設定可能である。また、各電圧Ｈ，Ｌを印加する各維持放電電極Ｊを互いに交換しても良い。
【０１５９】
また、各書き込み期間Ｑmにおいて、走査に関与する維持放電電極Ｊに印加する電圧Ｍと、走査に関与しない維持放電電極Ｊに印加する電圧Ｍを、電圧Ｈ＞電圧Ｍ＞電圧Ｌという大小関係を保ちつつ、違えても良い。
【０１６０】
＜実施の形態５の変形例１＞
上述の実施の形態５では書き込み期間ＡＤ５を４分割する場合を説明したが、本変形例１では同書き込み期間ないしは全走査線Ｓを３分割する場合の駆動方法を説明する。
【０１６１】
図１５に、本変形例１に係る駆動方法を説明するためのタイミングチャートを示す。なお、本駆動方法におけるリセット期間及び維持期間は既述のリセット期間Ｒ及び維持期間ＳＴが適用可能であるため、図１５への図示化は省略し、書き込み期間ＡＤ５ａのみを図示している。また、走査線Ｓの全本数２Ｎは３の倍数とする。
【０１６２】
特に、本駆動方法では、書き込み期間ＡＤ５ａを３つの書き込み期間Ｔ1，Ｔ2，Ｔ3に分割している。詳細には、書き込み期間Ｔ１は走査線Ｓ3t+1（０≦ｔ≦２Ｎ／３−１）用の書き込み期間であり、書き込み期間Ｔ2は走査線Ｓ3t+2用の書き込み期間であり、書き込み期間Ｔ3は走査線Ｓ3t+3用の書き込み期間である。ここでは一例として、各書き込み期間Ｔ1，Ｔ2，Ｔ3をこの順序で実行する場合を説明するが、各書き込み期間Ｔ1，Ｔ2，Ｔ3の実行順序は任意である。
【０１６３】
例えば期間Ｔ1では、少なくとも走査の期間中、維持放電電極Ｊ3t+3の全てを電圧Ｍに設定し、維持放電電極Ｊ3t+2の全てを電圧Ｈに設定する。維持放電電極Ｊ3t+1を、走査線Ｓ3t+1の走査開始前にまず電圧Ｍに設定しておき、アドレス電極２２へ画像データＷ3t+1が印加されるタイミングに合わせて電圧Ｌにスイッチする。そして、アドレス電極２２への画像データＷ3t+1の印加が終了した時点ないしは次の画像データＷ3(t+1)+1の印加時に電圧Ｍに戻す。なお、アドレス電極２２へ入力する画像データＷと選択する走査線Ｓとが対応させれば走査線の選択順序は任意に設定可能である。また、各電圧Ｈ，Ｌを印加する各維持放電電極Ｊを互いに交換しても良い。
【０１６４】
他の書き込み期間Ｔ2，Ｔ3においても同様の駆動シーケンスが適用される。つまり、走査線Ｓ3t+s用の書き込み期間Ｔs（ｓ＝１，２，３）において、隣接する３本の維持放電電極Ｊ3t+1，Ｊ3t+2，Ｊ3t+3には以下の各電圧を印加する。維持放電電極Ｊ3t+s+2には、少なくとも走査の期間中、電圧Ｍを印加する。また、当該走査線Ｓ3t+sを規定する一方の維持放電電極Ｊ3t+s+1に、少なくとも走査の期間中、電圧Ｈを印加する。そして、当該走査線Ｓ3t+sを規定する他方の維持放電電極Ｊ3t+sには、選択すべき期間のみ、電圧Ｌを印加し、その他の期間では電圧Ｍを印加する。このとき、電圧Ｌの印加は、アドレス電極２２に画像データＷ3t+1が入力されるタイミングと同期して行う。
【０１６５】
本駆動方法によれば、各書き込み期間Ｔsにおいて、隣接する３本の維持放電電極の内で維持放電電極Ｊ3t+s+2は走査に関与しない。換言すれば、走査に関与する２本の維持放電電極Ｊは、上述の走査に関与しない維持放電電極Ｊで挟まれている。従って、本駆動方法によっても、上述の実施の形態５の効果を得ることができる。
【０１６６】
本変形例１及び上述の実施の形態５の各駆動方法に鑑みれば、以下の駆動方法によって実施の形態５と同様の効果を得ることができる。即ち、全走査線Ｓを同一のグループに属する走査線Ｓ同士が隣接しないようにｒ（≧３）個にグループ分けし、各グループに対して書き込み期間Ｂ1，Ｂ2，・・・，Ｂrを設ける。そして、所定の上記グループに属する全走査線Ｓを走査する期間中、当該グループに属する走査線Ｓを規定する一方の維持放電電極Ｊに電圧Ｈを印加し、他方の維持放電電極Ｊとは反対側で上記一方の維持放電電極Ｊに隣接する維持放電電極Ｊに、電圧Ｍを印加する。また、上記他方の維持放電電極Ｊには、走査線の選択時に電圧Ｌを印加する一方で、非選択時に電圧Ｍを印加する。換言すれば、上記他方の維持放電電極Ｊを、当該走査線Ｓの選択時以外は、電圧Ｍが印加された維持放電電極で挟む。
【０１６７】
＜実施の形態６＞
実施の形態６では、上述の各駆動方法を用いて複数の画面を表示する場合を説明する。図１６は、実施の形態６に係る複数画面の編成を説明するための図である。図１６では、１画面は８個のサブフィールドＳＦ１〜ＳＦ８で構成される場合を図示している。
【０１６８】
なお、図１６中の書き込み期間ＡＤとして既述の書き込み期間ＡＤ１等のいずれもが適用可能である。また、同図中の符号ＯＥは、書き込み期間ＡＤにおいて奇数番目の走査線用の書き込み期間Ｏを偶数番目の走査線用の書き込み期間Ｅに先行させて実行する場合を示しており（以下、そのような書き込み期間ＡＤを有するサブフィールドを「ＯＥ型のサブフィールド」のように呼ぶ）、同符号ＥＯはＯＥ型とは逆の順序で実行する場合を示している（同様に「ＥＯ型のサブフィールド」のように呼ぶ）。ここで、奇数番目の走査線用及び偶数番目の走査線用の各書き込み期間Ｏ，Ｅは、上記書き込み期間ＡＤとして適用する書き込み期間ＡＤ１等の奇数番目の走査線用及び偶数番目の走査線用の各書き込み期間Ｏ１，Ｅ１等が適用される。
【０１６９】
特に、図１６に示す画面編成では、奇数番目の画面の全サブフィールドＳＦ１〜ＳＦ８においてＯＥ型のサブフィールドを適用し、逆に、偶数番目の画面の全サブフィールドＳＦ１〜ＳＦ８ではＥＯ型のサブフィールドを適用する。このため、各サブフィールドＳＦ１〜ＳＦ８がＯＥ型のサブフィールドで構成される画面と、ＥＯ型のサブフィールドで構成される画面とが、交互に配置される。なお、図１６とは逆に、奇数番目の画面を構成する各サブフィールドＳＦ１〜ＳＦ８をＥＯ型とし、偶数番目の画面を構成する各サブフィールドＳＦ１〜ＳＦ８をＯＥ型としても良いことは明らかである。
【０１７０】
かかる画面編成によれば、複数の画面を通してＯＥ型のサブフィールドが適用された画面とＥＯ型のサブフィールドが適用された画面とが交互に且つ均等に分配される。このため、全ての画面をＯＥ型又はＥＯ型の一方のサブフィールドが適用された画面のみで編成する場合と比較して、画像表示の安定化ないしは高品質化を図ることができる。これは以下の理由による。
【０１７１】
例えばＯＥ型のサブフィールドの場合、先行する書き込み期間Ｏはリセット期間Ｒにおいて全放電セルが壁電荷を有さない状態にリセットされた後に実行される。これに対して、後続の書き込み期間Ｅは、先行の書き込み期間Ｏで奇数番目の走査線に属する所定の放電セルに対して書き込みがなされた後に実行される。即ち、後続の書き込み期間Ｅにおける書き込み動作のための電界は、先行の書き込み期間Ｏで書き込みがされた放電セルの壁電荷の影響を受けることとなる。このように、先行の書き込み期間Ｏと後続の書き込み期間Ｅとでは同等の放電特性を確保し難い。このとき、全ての画面をＯＥ型のサブフィールドが適用された画面で編成すると、偶数番目の走査線Ｓの表示が奇数番目の走査線Ｓのそれと比較して連続的に不安定となる場合がある。かかる場合、複数画面としての表示画像全体の品質が低くなってしまう。なお、ＯＥ型のサブフィールドのみで全画面を構成する場合にも同様の問題が生じうる。
【０１７２】
これに対して、実施の形態６に係る画面編成によれば、上述のように複数の画面においてＯＥ型とＥＯ型との各サブフィールドが適用された各画面を交互に且つ均等に分配するので、そのような画像表示の品質の低下を大幅に抑制することができる。
【０１７３】
ところで、既述の実施の形態２に係る駆動方法（図２参照）では、隣接する２本の走査線Ｓで共有する維持放電電極Ｊの上方のカソード膜１１上に互いに逆極性の正規の壁電荷が蓄積される。例えば、書き込み期間Ｏ２において走査線Ｓ1に属する放電セルへ書き込みがなされた場合、維持放電電極Ｊ2の走査線Ｓ1側ないしは維持放電電極Ｊ1側の上方に正電荷が蓄積される一方で、書き込み期間Ｅ２において走査線Ｓ2に属する放電セルへ書き込みがなされた場合、当該維持放電電極Ｊ2の走査線Ｓ2側ないしは維持放電電極Ｊ3側の上方に負電荷が蓄積される。かかる電荷状態で図２の維持期間ＳＴを実行すると、維持放電電極Ｊ2に第１番目の維持パルスが印加された際、走査線Ｓ1では維持放電が発生するのに対して走査線Ｓ2では維持放電が発生しない。なお、第１番目の維持パルスにより形成される維持放電により、維持放電電極Ｊ2の走査線Ｓ1側の上方の壁電荷は極性が反転し、負電荷となる。これにより、当該維持放電電極Ｊ2の走査線Ｓ1側及び走査線Ｓ2の両上方に負電荷が蓄積される。続く２番目の維持パルスが維持放電電極Ｊ1，Ｊ3に印加されると、走査線Ｓ1，Ｓ2の双方で維持放電が発生する。その後の維持パルスでは、両走査線Ｓ1，Ｓ2で維持放電が発生する。
【０１７４】
このように、第１番目の維持パルスとは逆極性の蓄電荷が蓄積されている、偶数番目の走査線Ｓ2nでは、第１番目の維持パルスによっても維持放電が形成されない。このため、偶数番目の走査線では、１サブフィールドにおける維持放電ないしは面放電の回数が奇数番目の走査線よりも１回少ない。これは、実施の形態３に係る駆動方法でも同様である。
【０１７５】
一方、実施の形態４に係る駆動方法（図９参照）では、極性反転期間ＲＶにおいて先行の書き込み期間Ｏ４で蓄積された正規の壁電荷の極性を反転させるので、奇数番目と偶数番目との各走査線Ｓで維持放電の開始タイミングがずれることはない。しかし、極性反転期間ＲＶにおいて、先行の書き込み期間Ｏ４で選択した奇数番目の走査線Ｓ2n-1で維持放電と同じ面放電が１回発生するので、結果的に、奇数番目の走査線では、１サブフィールドにおける維持放電ないしは面放電の回数が偶数番目の走査線よりも１回多い。
【０１７６】
このように、駆動方法によっては、先行の書き込み期間で選択された走査線と後続の書き込み期間で選択された走査線との間で、１サブフィールドを通して維持放電の回数が異なる。かかる維持放電の回数の違いは、両走査線間の発光強度の差として、即ち、走査線１本置きの空間的な輝度ムラとして観測される。
【０１７７】
これに対して、本実施の形態６に係る画面編成によれば、上述のように複数の画面においてＯＥ型とＥＯ型と各サブフィールドが適用された画面を交互に且つ均等に分配するので、そのような発光強度の差をマクロな時間スケールで埋め合わせして、走査線１本置きの輝度ムラを抑制することができる。
【０１７８】
なお、図１７に示すように、連続する２画面においてＯＥ型のサブフィールドとＥＯ型のサブフィールドとを交互に配置する編成、即ち、同じ型のサブフィールドを連続させない編成であっても、同様の効果を得ることができる。
【０１７９】
ここで、既述の各書き込み期間Ｑ1，Ｑ3（図１１〜図１２参照）の実行順序を又は各書き込み期間Ｑ2，Ｑ4（図１３〜図１４参照）の実行順序を互いに入れ替えても良いこと、並びに、既述の各書き込み期間Ｔ1〜Ｔ3の実行順序が任意であることに鑑みれば、以下の画面編成によっても同様の効果を得ることができる。即ち、全走査線Ｓをｕ（≧２）個にグループ分けし、各グループに対する書き込み期間Ｂ1，・・・，Ｂuを設けた上で、各サブフィールド毎に書き込み期間Ｂ1，・・・，Ｂuの実行順序を入れ替えても良い。つまり、ｕ個のグループの、書き込み動作を実行する順序（即ち、上述の書き込み期間Ｂ1，・・・，Ｂuの実行順序）が、複数の画面を通じて同一には設定しない画面編成としても良い。
【０１８０】
＜実施の形態７＞
さて、既述の図２０に示すように、ＡＣ型ＰＤＰ２００では、１本のアドレス電極２２が全ての維持放電電極Ｊ又は全ての走査線Ｓと立体交差する。これに対して、アドレス電極２２が第１方向Ｄ１においてないしは上下方向において２ブロックに分割された形態のＡＣ型ＰＤＰが知られている。そのようなＡＣ型ＰＤＰの一例として、ＡＣ型ＰＤＰ２５０を図１８の模式的な平面図に示す。また、図１８の要部拡大図を図１９に示す。
【０１８１】
ＡＣ型ＰＤＰ２５０のアドレス電極２２１，２２２は、ＡＣ型ＰＤＰ２００のアドレス電極２２が、第２方向Ｄ２に平行な方向であって隣接する走査線Ｓnb-1，Ｓnb（２≦ｎｂ≦２Ｎ）間を通る境界線ＢＬで上側の領域ＲＧ１と下側の領域ＲＧ２とに分割して得られる形態に相当する。詳細には、第１方向Ｄ１に延在するアドレス電極２２１が、上側の領域ＲＧ１に属する走査線Ｓ1〜Ｓnb-1と立体交差し、第１方向Ｄ１に延在するアドレス電極２２２が、下側の領域ＲＧ２に属する走査線Ｓnb〜Ｓ2Nと立体交差する。各アドレス電極２２１，２２２はそれぞれ複数本が第２方向Ｄ２に沿って配置されている。このとき、第１方向Ｄ１に沿って並ぶ両アドレス電極２２１，２２２が既述のアドレス電極２２に相当する。図１８及び図１９ではそれぞれ実施の形態７の説明に必要な構成要素のみを抽出して図示しており、図示しない他の構成要素はＡＣ型ＰＤＰ２００（図２０参照）と同様である。なお、一般的には、ｎｂ＝Ｎ＋１に設定され、全走査線Ｓが上下に２等分される。
【０１８２】
ＡＣ型ＰＤＰ２５０では、領域ＲＧ１と領域ＲＧ２とで並行して書き込み動作が実行可能である。かかる駆動方法によれば、ＡＣ型ＰＤＰ２５０全体に書き込み動作を行う時間、即ち書き込み期間として費やす時間をＡＣ型ＰＤＰ２００よりも削減することができる。その結果、削減されて余剰となった時間をサブフィールド数の増加に利用することによって高階調化を図ることができる。また、走査線数を増加させた上で、上述の余剰となった時間を当該増加された走査線の走査のために利用することによって、ＡＣ型ＰＤＰの高精細化を図ることができる。
【０１８３】
実施の形態７では、ＡＣ型ＰＤＰ２５０において、領域ＲＧ１と領域ＲＧ２とで並行して書き込み動作を実行すると共に、各領域ＲＧ１，ＲＧ２での各書き込み動作を既述の書き込み期間ＡＤ１等で行う駆動方法を説明する。
【０１８４】
ところで、図１９に示すように、ＡＣ型ＰＤＰ２５０では上側の領域ＲＧ１に属する走査線Ｓnb-1と下側の領域ＲＧ２に属する走査線Ｓnbとで維持放電電極Ｊnbを共有する。このため、各領域ＲＧ１，ＲＧ２における各上記走査線Ｓnb-1，Ｓnbの選択のタイミングが異なると、先行して選択された一方の走査線Ｓに属する放電セル内の蓄積電荷の状態が、後に他方の走査線Ｓが選択された際に当該維持放電電極Ｊnbへの印加電圧によって変化してしまう等の問題がある。
【０１８５】
かかる点に鑑みて、実施の形態７に係る駆動方法では、上記維持放電電極Ｊnbへ電圧を印加するタイミングを以下のように設定している。即ち、両走査線Ｓnb-1，Ｓnbを同期して選択するように、維持放電電極Ｊnbへ所定の電圧を印加する。かかる駆動シーケンスにおける両領域ＲＧ１，ＲＧ２での走査線の選択順序の一例を表１に示す。
【０１８６】
【表１】
0004331359.tif 000002
【０１８７】
なお、領域ＲＧ１に対する駆動シーケンスとして例えば図１，図４，図６等の各タイミングチャートが適用可能である。図１等中の全走査線数２Ｎ本が領域ＲＧ１に属する全走査線数（nb-1）本に相当する。本駆動方法では、領域ＲＧ２に属する各維持放電電極Ｊnb〜Ｊ2N+1への電圧印加のシーケンスは、上記維持放電電極Ｊnbを挟んで各維持放電電極Ｊv（ｎｂ≦ｖ≦２Ｎ＋１）と対称に位置する、領域ＲＧ１に属する維持放電電極Ｊ2nb-vのそれと同じものとする。
【０１８８】
かかる駆動方法によれば、ＡＣ型ＰＤＰ２５０において、既述のＡＣ型ＰＤＰ２００が奏する各効果、並びに、上述の書き込み期間の時間削減及びそれに起因した高階調化等の効果を同時に得ることができる。
【０１８９】
＜付記＞
なお、日本国特許２６６６７１１号の公報に、ＡＣ型ＰＤＰの全走査線を複数のグループに分割し、各当該グループ毎に書き込み期間が設定された駆動方法が開示されている。しかしながら、当該公報に開示される駆動方法は、隣接する２本の走査線で維持放電電極を共有しないＡＣ型ＰＤＰに適用されるものである点において、既述の実施の形態１〜５に係る各駆動方法とは異なる。
【０１９０】
更に、上記公報に、各グループに対する書き込み期間の後に短時間の維持期間を設けた駆動方法が開示されている。かかる短時間の維持期間は、書き込み放電で形成された壁電荷を増大させて、後に実行されるＡＣ型ＰＤＰ全体の維持期間への遷移を容易にすることが目的である。これに対して、実施の形態４に係る駆動方法（図９参照）では極性反転期間ＲＶが先行の書き込み期間Ｏ４の後に設けられているが、既述のように、当該極性反転期間ＲＶは上記書き込み期間Ｏ４で形成された壁電荷の極性を反転させて、後続の書き込み期間Ｅ４での動作を安定化させるためのものである。このように、極性反転期間ＲＶと上記短時間の維持期間との間に差異が認められる。
【０１９１】
【発明の効果】
（１）請求項１に係る発明によれば、各サブフィールドにおいて、リセット期間及び維持期間では全ての放電セルを対象として各所定の動作を行う。つまり、走査線のグループ単位での書き込み動作毎にリセット期間及び維持期間を設けない。このため、上述のグループ単位での書き込み動作毎にリセット期間及び維持期間を設ける場合と比較して、サブフィールド１個当りのリセット期間及び維持期間に要する時間を大幅に削減することができる。従って、かかる削減された時間を書き込み期間へ割り当てることによって、書き込み放電を安定的にないしは確実に形成することができる。
【０１９２】
更に、リセット期間では全ての放電セルを対象として消去動作を実行するので、リセット期間はサブフィールド１個当たりに１回だけである。このため、上述のグループ単位での書き込み動作毎にリセット期間を設ける場合と比較して、暗輝度を下げて表示コントラストを向上させることができる。
【０１９３】
更に、維持期間では全ての放電セルを対象として放電維持動作を実行するので、維持期間はサブフィールド１個当たりに１回だけである。このため、上述のグループ単位での書き込み動作毎に維持期間を設ける場合と比較して、維持期間全体における無効電力を大幅に削減することができる。
【０１９４】
（２）請求項１に係る発明によれば、１本の維持放電電極を共有する一方又は他方の走査線を先行して選択した際に、選択対象ではない走査線に属する放電セルで維持放電電極とアドレス電極との間に対向放電（不要な対向放電）がたとえ発生しても、上記選択対象ではない走査線の選択時に確実に書き込み放電を形成することができる。
【０１９５】
更に、１本の維持放電電極を共有する一方及び他方の各走査線を選択する過程において、上記１本の維持放電電極とそれに隣接する維持放電電極との間に作用する電圧の極性を互いに逆向きにすることができる。従って、書き込み期間全体を通して隣接する維持放電電極の間のマイグレーションを抑制することができる。
【０１９６】
（３）請求項２に係る発明によれば、走査線の非選択時には、走査線を規定する２本の内の少なくとも一方の維持放電電極に、放電抑制電圧を印加するので、書き込み放電（及び当該書き込み放電を誘起する、アドレス電極と維持放電電極との間の対向放電（不要な対向放電及び誤った対向放電）さえも）が誤って発生することがない。このため、誤った書き込み放電により形成・蓄積された電荷によって正規の書き込み放電が阻害されたり、誤った書き込み放電によって正規の書き込み放電後に蓄積されている正規の（壁）電荷が減少したりすることを抑制することができる。その結果、維持期間における不点灯等の不都合が低減されて、より高品質な画像表示を得ることができる。
【０１９７】
（４）請求項３に係る発明によれば、走査線を規定する他方の維持放電電極には、走査線の選択時に既に走査線選択電圧が印加されているので、上記一方の維持放電電極へ印加電圧を放電抑制電圧から走査線選択電圧へスイッチするだけで、当該走査線を選択することができる。このため、一方及び他方の維持放電電極の双方の各印加電圧を各走査線選択電圧にスイッチする場合と比較して、書き込み放電形成の応答をより速くすることができ、確実な書き込み放電を形成可能である。更に、維持放電電極へ電圧を供給する回路の駆動シーケンスが単純化され、同回路の負荷を低減することができる。
【０１９８】
（５）請求項４に係る発明によれば、走査の対象ではないグループに属する走査線を規定する維持放電電極であって上記他方の維持放電電極に隣接する維持放電電極に、走査の対象であるグループでの走査の期間中、放電抑制電圧を印加する。他方、上記一方の維持放電電極には、上記走査の期間中で非選択時に放電抑制電圧が印加されている。つまり、上記他方の維持放電電極は当該走査線の選択時以外は、放電抑制電圧が印加された維持放電電極で挟まれる。このため、当該他方の維持放電電極に走査の期間中、継続的に走査線選択電圧を印加した場合であっても、他方の維持放電電極を共有する各走査線に属する各放電セルにおいて誤って書き込み放電が発生することがない。従って、当該他方の維持放電電極への印加電圧をそのように設定することによって、走査の期間中、当該他方の維持放電電極への印加電圧をスイッチする必要が無くなる。その結果、請求項４に係る駆動方法と比較して、維持放電電極へ電圧を供給する回路の駆動シーケンスが更に単純化され、同回路の負荷をより低減することができる。
【０１９９】
（６）請求項５に係る発明によれば、走査の期間中、上記他方の維持放電電極への印加電圧をスイッチする必要が無い。このため、請求項５に係る駆動方法と比較して、維持放電電極へ電圧を供給する回路の駆動シーケンスが更に単純化され、同回路の負荷をより低減することができる。
【０２００】
（７）請求項６に係る発明によれば、隣接する２本の走査線の一方の走査線を規定する各維持放電電極の上方に書き込み放電により形成・蓄積された各電荷の極性を反転させた後に、他方の走査線を選択する。このため、上記一方の走査線に属する書き込み放電が形成された放電セル内に蓄積された正規の電荷による電圧と上記隣接する２本の走査線の他方の走査線の選択時に各維持放電電極に印加される各所定の電圧とが重畳されて、当該放電セルで書き込み動作後に放電が発生することを大幅に抑制することができる。従って、かかる放電のプライミング効果によって他方の走査線に属する放電セルに誤って発生する、書き込み放電（誤った書き込み放電）を確実に抑制することができる。その結果、上述の電荷の極性反転を行わない場合と比較して、不点灯等の不都合が低減されてより高品質な画像表示を得ることができる。
【０２０４】
（８）請求項９に係る発明によれば、２つの領域の境界を介して隣接する２つの走査線を同期して選択する。このため、上記２つの走査線の各選択のタイミングが異なる場合に生じうる、放電セルに蓄積された電荷の状態の変化を抑制することができる。これにより、当該各走査線に属する各放電セルの双方で確実な書き込み動作を行うことができる。
【図面の簡単な説明】
【図１】  実施の形態１に係る、ＡＣ型ＰＤＰの駆動方法を説明するためのタイミングチャートである。
【図２】  実施の形態２に係る、ＡＣ型ＰＤＰの駆動方法を説明するためのタイミングチャートである。
【図３】  実施の形態２の変形例１に係る、ＡＣ型ＰＤＰの駆動方法を説明するためのタイミングチャートである。
【図４】  実施の形態２の変形例２に係る、ＡＣ型ＰＤＰの駆動方法を説明するためのタイミングチャートである。
【図５】  実施の形態２の変形例３に係る、ＡＣ型ＰＤＰの駆動方法を説明するためのタイミングチャートである。
【図６】  実施の形態３に係る、ＡＣ型ＰＤＰの駆動方法を説明するためのタイミングチャートである。
【図７】  実施の形態３に係る駆動方法に適用される、維持放電電極への電圧供給回路を説明するためのブロック図である。
【図８】  実施の形態３の変形例１に係る、ＡＣ型ＰＤＰの駆動方法を説明するためのタイミングチャートである。
【図９】  実施の形態４に係る、ＡＣ型ＰＤＰの駆動方法を説明するためのタイミングチャートである。
【図１０】  実施の形態４の変形例１に係る、ＡＣ型ＰＤＰの駆動方法を説明するためのタイミングチャートである。
【図１１】  実施の形態５に係る、ＡＣ型ＰＤＰの駆動方法を説明するためのタイミングチャートである。
【図１２】  実施の形態５に係る、ＡＣ型ＰＤＰの駆動方法を説明するためのタイミングチャートである。
【図１３】  実施の形態５に係る、ＡＣ型ＰＤＰの駆動方法を説明するためのタイミングチャートである。
【図１４】  実施の形態５に係る、ＡＣ型ＰＤＰの駆動方法を説明するためのタイミングチャートである。
【図１５】  実施の形態５の変形例１に係る、ＡＣ型ＰＤＰの駆動方法を説明するためのタイミングチャートである。
【図１６】  実施の形態６に係る画面編成を説明するための図である。
【図１７】  実施の形態６に係る他の画面編成を説明するための図である。
【図１８】  実施の形態７に係るＡＣ型ＰＤＰの構造を説明するための平面図である。
【図１９】  図１８の要部拡大図である。
【図２０】  背景技術に係るＡＣ型ＰＤＰの模式的な斜視図である。
【図２１】  背景技術に係るＡＣ型ＰＤＰの駆動方法を説明するためのタイミングチャートである。
【符号の説明】
１  前面基板（第１基板）、２  背面基板（第２基板）、３  バリアリブ、１１  カソード膜（誘電体層）、１２  放電不活性膜（放電分離体）、１３，２１ガラス基板、１４  透明電極、１５  バス電極、１６  誘電体層、２２  アドレス電極、２３  オ−バーグレーズ層、２４，２４Ｂ，２４Ｇ，２４Ｒ  蛍光体層、１００  面放電、２００  ＡＣ型ＰＤＰ、２２１，２２２  アドレス電極（電極）、３００  電圧供給回路、３０１  ドライバＩＣ、３０２  切り替えスイッチ、ＡＤ，ＡＤ１，ＡＤ２，ＡＤ３，ＡＤ４，ＡＤ５，ＡＤ５ａ，ＡＤＰ  書き込み期間、ＢＬ  境界、Ｄ１，Ｄ２  方向、Ｅ，Ｅ１，Ｅ２，Ｅ２ａ，Ｅ２ｂ，Ｅ２ｃ，Ｅ３，Ｅ３ａ，Ｅ４，Ｅ４ａ，Ｅ５  偶数番目の走査線用の書き込み期間、Ｈ，Ｌ  電圧（走査線選択電圧）、Ｊ，Ｘ，Ｙ  維持放電電極、Ｍ  電圧（放電抑制電圧）、Ｏ，Ｏ１，Ｏ２，Ｏ２ｂ，Ｏ３，Ｏ４，Ｏ５  奇数番目の走査線用の書き込み期間、Ｒ  リセット期間、ＲＧ１，ＲＧ２  領域、ＲＶ  極性反転期間、Ｓ  走査線、ＳＦ１〜ＳＦ８  サブフィールド、ＳＴ，ＳＴａ  維持期間（表示期間）、Ｔ1〜Ｔ3，Ｑ1〜Ｑ4  書き込み期間、Ｖｏｎ，Ｖｏｆｆ  電圧、Ｗ  画像データ。
【図１】
0004331359.tif 000003
【図２】
0004331359.tif 000004
【図３】
0004331359.tif 000005
【図４】
0004331359.tif 000006
【図５】
0004331359.tif 000007
【図６】
0004331359.tif 000008
【図７】
0004331359.tif 000009
【図８】
0004331359.tif 000010
【図９】
0004331359.tif 000011
【図１０】
0004331359.tif 000012
【図１１】
0004331359.tif 000013
【図１２】
0004331359.tif 000014
【図１３】
0004331359.tif 000015
【図１４】
0004331359.tif 000016
【図１５】
0004331359.tif 000017
【図１６】
0004331359.tif 000018
【図１７】
0004331359.tif 000019
【図１８】
0004331359.tif 000020
【図１９】
0004331359.tif 000021
【図２０】
0004331359.tif 000022
【図２１】
0004331359.tif 000023